(57)【要約】【課題】干渉インジケータのシグナリングサイズを減少させる。【解決手段】基地局は、干渉過負荷インジケータ生成制御サブシステム（１０００）、干渉過負荷インジケータ生成サブシステム（２０００）、および受送信サブシステム（３０００）を含む。干渉過負荷インジケータ生成制御サブシステム（１０００）は、干渉インジケータの生成開始条件が満たされているか否かを判断し、該条件が満たされる場合のみに、干渉過負荷インジケータ生成サブシステム（２０００）を起動させる。これにより、干渉インジケータのシグナリングサイズを減少させることができる。シグナリングサイズを更に減少させるため、差分コーディング、状態コーディング、ビットマップなどの方法で、干渉インジケータのシグナリングを生成して送信する。本発明によると、干渉インジケータの生成制御メカニズムが比較的に簡単であり、干渉インジケータのシグナリングサイズが小さい。【選択図】図２Ａ
2010141934.tif 000002
【特許請求の範囲】
【請求項１】
アップリンク周波数分割多重送信用のセル方式通信システムに用いられる干渉過負荷インジケータ生成装置であって、
アップリンクデータの伝送に用いられる周波数スペクトルリソースブロックのそれぞれにおける干渉過負荷のレベルを確定する確定手段と、
上記確定された干渉過負荷のレベルに対応する干渉過負荷コードに基づいて、干渉過負荷インジケータを生成する生成手段とを含むことを特徴とする干渉過負荷インジケータ生成装置。
【請求項２】
上記確定された干渉過負荷のレベルに対応する干渉過負荷コードは、低干渉過負荷、中干渉過負荷、高干渉過負荷を表すコードを含むことを特徴とする請求項１に記載の干渉過負荷インジケータ生成装置。
【請求項３】
上記生成手段は、周波数スペクトルリソースブロックの順序に従って、相応する干渉過負荷コードを順次にカスケーディングして、上記干渉過負荷インジケータを生成することを特徴とする請求項１に記載の干渉過負荷インジケータ生成装置。
【請求項４】
上記確定手段は、周波数スペクトルリソースブロックにおける干渉雑音比のしきい値、干渉値のしきい値、負荷状況、干渉を受ける状況、およびセルの境界のユーザ数の少なくとも１つに基づいて、上記干渉過負荷のレベルを確定することを特徴とする請求項１に記載の干渉過負荷インジケータ生成装置。
【請求項５】
アップリンク周波数分割多重送信用のセル方式通信システムに用いられる干渉過負荷インジケータ生成方法であって、
アップリンクデータの伝送に用いられる周波数スペクトルリソースブロックのそれぞれにおける干渉過負荷のレベルを確定する確定ステップと、
上記確定された干渉過負荷のレベルに対応する干渉過負荷コードに基づいて、干渉過負荷インジケータを生成する生成ステップとを含むことを特徴とする干渉過負荷インジケータ生成方法。
【請求項６】
アップリンク周波数分割多重送信用のセル方式通信システムに用いられる基地局装置であって、
アップリンクデータの伝送に用いられる周波数スペクトルリソースブロックのそれぞれにおける干渉過負荷のレベルを確定する確定手段と、
上記確定された干渉過負荷のレベルに対応する干渉過負荷コードに基づいて、干渉過負荷インジケータを生成する生成手段と、
上記生成された干渉過負荷インジケータを他の基地局装置に送信する送信手段とを備えることを特徴とする基地局装置。
【請求項７】
上記確定された干渉過負荷のレベルに対応する干渉過負荷コードは、低干渉過負荷、中干渉過負荷、高干渉過負荷を表すコードを含むことを特徴とする請求項６に記載の基地局装置。
【請求項８】
上記生成手段は、周波数スペクトルリソースブロックの順序に従って、相応する干渉過負荷コードを順次にカスケーディングして、上記干渉過負荷インジケータを生成することを特徴とする請求項６に記載の基地局装置。
【発明の詳細な説明】
【技術分野】
【０００１】
本発明は、通信技術分野におけるアップリンク干渉過負荷インジケータの生成制御メカニズムおよびシグナリング（指令）の設計に関し、特に、アップリンク周波数分割多重送信（ＦＤＭＡ）のセル方式通信システムに用いられる干渉過負荷インジケータ生成装置、干渉過負荷インジケータ生成方法、および基地局装置に関するものである。本発明において、干渉過負荷インジケータの生成制御方法（メカニズム）およびシグナリング（生成制御方法）、並びに該方法を用いた基地局について詳細に説明する。
【背景技術】
【０００２】
３ＧＰＰ（the 3rd GenerationPartner Project）組織は、移動通信分野の国際組織であり、３Ｇセル方式の通信技術の標準化において重要な役割を演じている。３ＧＰＰ第６版の標準規格には、ＨＳＵＰＡ（High-Speed Uplink Packet Access）技術が取り入れられている。該ＨＳＵＰＡ技術は、ＯＦＤＭＡ（Orthogonal Frequency Division Multiple Access）技術に基づき、基地局で高速アップリンクスケジューリング技術を運用することにより、複数のユーザ機器がデータをアップリンク送信する場合において、それぞれのユーザ機器が異なる周波数スペクトルリソースを使用させることができる。ここで、ＯＦＤＭＡ技術は、ＦＤＭＡ（Frequency Division Multiple Access）技術に属する。３ＧＰＰ組織は、ＨＳＵＰＡの関連標準を制定すると同時に、２００４年の下半期からＥＵＴＲＡ（Evolved UMTS Terrestrial Radio Access）とＥＵＴＲＡＮ（Evolved UMTS Terrestrial Radio Access Network）の設計を始めた。これは、ＬＴＥ（Long Term Evolution）プロジェクトとも称される。ＬＴＥシステムは、ＳＣ−ＯＦＤＭＡ（SC-Orthogonal Frequency Division Multiple Access）技術、および基地局における高速リソーススケジューリング技術を使用する。ここで、ＳＣ−ＯＦＤＭＡ技術もＯＦＤＭＡ技術に属する。
【０００３】
一方、ＬＴＥシステムにおいて、基地局の周波数領域におけるスケジューリングにより、セル方式システムのサブゾーン内の干渉は除去されるが、サブゾーン間の干渉は依然として存在する。セル方式のシステムでは、一般的に、サービスエリアがいくつかの正六角形のサブゾーンに分割される。アップリンクセル方式システムにおいて、サブゾーンの基地局は、ユーザ機器にアップリンクの無線リソース（以下、リソースと略する）を割り当てる。リソースは、一般的に、タイムスロットリソースまたは周波数スペクトルリソースを含んでおり、場合によってコードワードリソースなどを含むこともある。実際のシステムにおいては、リソース全体がすべてのセルに多重に使われているため、２つの隣接するセルにおける２つのユーザ機器が同一のリソースに割り当てられた場合、該２つのユーザ機器には、同一チャネル干渉が生ずる。このような干渉は、上述した２つのユーザ機器が両方ともセルの境界（セルエッジ）に位置されている場合により顕著になる。そのため、係る干渉を調和する方法によって、ユーザ機器間の同一チャネル干渉を減少させることが求められる。
【０００４】
以下の技術文献には、アップリンクＦＤＭＡセル方式システムに対し、主に干渉インジケート方法を使用してセル間の干渉を減少させる技術が開示されている。
【０００５】
（１）周波数バンド（Frequency Band）に基づく干渉過負荷インジケート方法
基地局は、周波数バンドを単位として、リソースが隣の基地局内のユーザ機器から受ける干渉の強度を測量して、干渉が一定のしきい値を上回る場合、基地局に干渉の過負荷に発生していると判断する。基地局は、バックグラウンド通信方式により、トリガ方式で隣接する基地局に全方向的に干渉過負荷インジケータを送信する。該インジケータは、周波数バンドをレポート単位とし、それぞれの周波数バンドについて、干渉が過負荷であるか否かを明示する。干渉過負荷インジケータを受け取った基地局は、過去の一定の時間内のリソース使用状況を確認し、干渉過負荷インジケータに対応する周波数バンドを使用したことがあるユーザ機器に対して、送信電力（発射するパワー）を低下するか、または、リソースの割り当て（リソースのスケジューリング）を変更するなどの措置を行って、干渉を低減（調和）する。周波数バンドに基づく干渉過負荷インジケート方法は、簡単で融通性がよく、干渉のレスポンスが早い（非特許文献１を参照）。
【０００６】
（２）干渉過負荷インジケータの生成制御メカニズム。
【０００７】
典型的な生成制御メカニズムは、周波数バンドにおける干渉がしきい値を上回ること、システム帯域幅（例えば、２０ＭＨｚ、１０ＭＨｚ、５ＭＨｚなどの基地局のシステム帯域幅）全体における平均の干渉が相対的に大きく変化すること、アップリンクデータのサービス品質は悪いこと、セルの負荷状態が相対的に大きく変化すること、および干渉過負荷インジケータを長時間発送していないことなどを含む（非特許文献２を参照）。
【先行技術文献】
【非特許文献】
【０００８】
【非特許文献１】３ＧＰＰ，Ｒ１-０７４８９１，「Uplink ICIC and usage of OI for overload coordination」，Nokia Siemens Networks，Nokia（November 5〜9，2007）
【非特許文献２】３ＧＰＰ，Ｒ１-０８０７５１，「Uplink Inter-Cell Power Control：X2 Messages」，Motorola（February 11〜15，2008）
【発明の概要】
【発明が解決しようとする課題】
【０００９】
しかしながら、方法（１）による干渉過負荷インジケータの生成制御メカニズムは、基地局間で比較的に頻繁に干渉過負荷インジケータが送信されることになり、かつ、該方法において、シグナリングサイズ（オーバーヘッド）は相対的に大きい。方法（２）では、いくつかの干渉過負荷インジケータの生成制御メカニズムを提供されているが、干渉過負荷インジケータのシグナリングについて論述していない。
【００１０】
本発明は、干渉インジケータの生成制御メカニズムがあまり合理的ではなく、干渉インジケータのシグナリングのサイズが相対的に大きいといった従来技術の問題に鑑みてなされたものであり、アップリンクＦＤＭＡセル方式システムの干渉インジケータの生成制御メカニズムおよびシグナリングの方法、並びに該方法を使用する基地局を提供することを目的としている。
【課題を解決するための手段】
【００１１】
本発明の第１方案によると、アップリンク周波数分割多重送信用のセル方式通信システムに用いられる干渉過負荷インジケータ生成装置であって、アップリンクデータの伝送に用いられる周波数スペクトルリソースブロックのそれぞれにおける干渉過負荷のレベルを確定する確定手段と、上記確定された干渉過負荷のレベルに対応する干渉過負荷コードに基づいて、干渉過負荷インジケータを生成する生成手段とを含むことを特徴とする干渉過負荷インジケータ生成装置を提供する。ここでのコードとは、符号、またはデータシーケンスなどデータビット系列、またはデータビットを指す。
【００１２】
好ましいのは、上記確定された干渉過負荷のレベルに対応する干渉過負荷コードは、低干渉過負荷、中干渉過負荷、高干渉過負荷を表すコードを含むことである。
【００１３】
好ましいのは、上記生成手段は、周波数スペクトルリソースブロックの順序に従って、相応する干渉過負荷コードを順次にカスケーディングして、上記干渉過負荷インジケータを生成することである。
【００１４】
好ましいのは、上記確定手段は、周波数スペクトルリソースブロックにおける干渉雑音比のしきい値、干渉値のしきい値、負荷状況、干渉を受ける状況、およびセルの境界のユーザ数の少なくとも１つに基づいて、上記干渉過負荷のレベルを確定することである。
【００１５】
また、本発明の第２方案によると、アップリンク周波数分割多重送信用のセル方式通信システムに用いられる干渉過負荷インジケータ生成方法であって、アップリンクデータの伝送に用いられる周波数スペクトルリソースブロックのそれぞれにおける干渉過負荷のレベルを確定する確定ステップと、上記確定された干渉過負荷のレベルに対応する干渉過負荷コードに基づいて、干渉過負荷インジケータを生成する生成ステップとを含むことを特徴とする干渉過負荷インジケータ生成方法を提供する。
【００１６】
また、本発明によると、アップリンク周波数分割多重送信用のセル方式通信システムに用いられる基地局装置であって、アップリンクデータの伝送に用いられる周波数スペクトルリソースブロックのそれぞれにおける干渉過負荷のレベルを確定する確定手段と、上記確定された干渉過負荷のレベルに対応する干渉過負荷コードに基づいて、干渉過負荷インジケータを生成する生成手段と、上記生成された干渉過負荷インジケータを他の基地局に送信する送信手段とを備えることを特徴とする基地局装置を提供する。
【００１７】
好ましいのは、上記確定された干渉過負荷のレベルに対応する干渉過負荷コードは、低干渉過負荷、中干渉過負荷、高干渉過負荷を表すコードを含むことである。
【００１８】
好ましいのは、上記生成手段は、周波数スペクトルリソースブロックの順序に従って、相応する干渉過負荷コードを順次にカスケーディングして、上記干渉過負荷インジケータを生成することである。
【発明の効果】
【００１９】
本発明は、アップリンクＦＤＭＡセル方式システムの干渉インジケータの生成制御メカニズムとシグナリングを実現する方法、および該方法を使用する基地局を提供する。該方法において、まず、基地局は干渉インジケータの生成開始条件を満たしているか否かを判断し、次いで、条件が満たされる場合のみに干渉インジケータの生成が開始され、これにより、干渉インジケータのシグナリングサイズを減少させる。また、シグナリングサイズを更に減少させるため、差分コーディング、状態コーディングおよびビットマップなどの方法を用いて、干渉インジケータのシグナリングを送信する。本発明によると、干渉インジケータの生成制御メカニズムは比較的に簡単になり、干渉インジケータのシグナリングサイズが小さくなる。
【図面の簡単な説明】
【００２０】
以下に、添付した図面に基づいて、本発明の好ましい実施例について説明する。これにより、本発明の上述の目的、特徴および長所がより明瞭になる。
【図１】マルチセル方式通信システムの概略図である。
【図２Ａ】本発明による基地局のブロック図である。
【図２Ｂ】本発明による干渉過負荷インジケータの生成制御方法の流れ図である。
【図２Ｃ】本発明による干渉過負荷インジケータ生成方法の流れ図である。
【図３】本発明の実施例で使用した干渉過負荷シーン１の概略図である。
【図４】本発明の実施例で使用した干渉過負荷シーン２の概略図である。
【図５】基地局が干渉過負荷インジケータのシグナリングを生成する実施例１に係る概略図である。
【図６】基地局が干渉過負荷インジケータのシグナリングを生成する実施例２に係る概略図である。
【図７】基地局が干渉過負荷インジケータのシグナリングを生成する実施例３に係る概略図である。
【図８】基地局が干渉過負荷インジケータのシグナリングを生成する実施例４に係る概略図である。
【図９】基地局が干渉過負荷インジケータのシグナリングを生成する実施例５に係る概略図である。
【図１０】基地局が干渉過負荷インジケータのシグナリングを生成する実施例６に係る概略図である。
【図１１】基地局が干渉過負荷インジケータのシグナリングを生成する実施例７に係る概略図である。
【図１２】基地局が干渉過負荷インジケータのシグナリングを生成する実施例８に係る概略図である。
【図１３】基地局が干渉過負荷インジケータのシグナリングを生成する実施例９に係る概略図である。
【図１４】基地局が干渉過負荷インジケータのシグナリングを生成する実施例１０に係る概略図である。
【図１５】基地局が干渉過負荷インジケータのシグナリングを生成する実施例１１に係る概略図である。
【図１６】基地局が干渉過負荷インジケータのシグナリングを生成する実施例１２に係る概略図である。
【図１７】基地局が干渉過負荷インジケータのシグナリングを生成する実施例１３に係る概略図である。
【図１８】基地局が干渉過負荷インジケータのシグナリングを生成する実施例１４に係る概略図である。
【図１９】基地局が干渉過負荷インジケータのシグナリングを生成する実施例１５に係る概略図である。
【図２０】基地局が干渉過負荷インジケータのシグナリングを生成する実施例１６に係る概略図である。
【図２１】基地局が干渉過負荷インジケータのシグナリングを生成する実施例１７に係る概略図である。
【図２２】基地局が干渉過負荷インジケータのシグナリングを生成する実施例１８に係る概略図である。
【図２３】基地局が干渉過負荷インジケータのシグナリングを生成する実施例１９に係る概略図である。
【図２４】基地局が干渉過負荷インジケータのシグナリングを生成する実施例２０に係る概略図である。
【発明を実施するための形態】
【００２１】
以下に、図面を参照しながら、本発明の好ましい実施例について詳細に説明する。なお、本発明において必要でない細部および機能については、その説明を略して、本発明に対する理解を混淆させることを避ける。
【００２２】
また、本発明を実現するためのステップを詳細に説明するため、以下に、本発明の具体的な実施例を提供する。これらの実施例は、アップリンクＬＴＥセル方式通信システムに適用する。しかし、本発明は、これらの実施例に記載された応用に限定されず、その他の通信システムにも適用可能である。
【００２３】
図１は、マルチセル方式通信システムの概略図を示す。セル方式システムにおいて、サービスエリアは、隣接している無線カバーエリアつまりセルに分割される。図１において、セルは正六角形に描かれており、全体のサービスエリアはセル１００〜１０４をつなぎ合わせて形成される。基地局２００〜２０４は、それぞれセル１００〜１０４に対応する。基地局２００〜２０４は、それぞれ、１つの発信器、１つの受信器、および１つの基地局制御ユニットを含む。これは、当分野で公知のものである。図１において、基地局２００〜２０４は、それぞれ、セル１００〜１０４における、ある領域に設置されており、全方向性のアンテナが配備されている。しかし、セル方式通信システムのセルの配置において、基地局２００〜２０４に指向性アンテナに配備されて、セル１００〜１０４の一部のエリアを指向的にカバーすることもできる。該一部のエリアは、通常、セクターと称される。従って、図１におけるマルチセル方式通信システムの表示は、一例を示す目的でなされたものであり、本発明のセル方式システムの実施において、上記の特定条件を必要とすることではない。
【００２４】
図１において、基地局２００〜２０４は、Ｘ２インターフェース３００〜３０４を通じて互いに接続される。ＬＴＥシステムにおいて、基地局、無線ネット制御ユニット、およびコアネットの３層ノードネットワーク構成を、２層ノード構成に簡略化する。ここで、無線ネット制御ユニットの機能は、基地局に分けられ、基地局と基地局とは、「Ｘ２」と呼ばれる有線インターフェースを通じて通信を行う。
【００２５】
図１において、セル１００〜１０４内にはいくつかのユーザ機器４００〜４３０が配置される。ユーザ機器４００〜４３０のそれぞれは、１つの発信器、１つの受信器、および１つの移動端末制御ユニットを備える。これは、本分野で公知のものである。ユーザ機器４００〜４３０は、各自がサービスを提供するサービス基地局（基地局２００〜２０４のいずれか１つ）を通じてセル方式通信システムに接続される。なお、図１にはユーザ機器が１６個のみ示されているが、実際には、ユーザ機器の数はかなり多い。この意味から言うと、図１におけるユーザ機器の記載は、説明の目的でなされたもののみであり、本発明は、これに限られない。ユーザ機器４００〜４３０は、それぞれ各自にサービスを提供する基地局２００〜２０４を通じてセル方式の通信網に接続される。ここで、あるユーザ機器に、直接、通信サービスを提供する基地局を、該ユーザ機器のサービス基地局と称し、その他の基地局を、該ユーザ機器の非サービス基地局と称する。
【００２６】
図２Ａは、本発明による基地局のブロック図である。
【００２７】
図２Ａに示すように、本発明による基地局２００／２０２／２０４は、干渉過負荷インジケータ生成制御サブシステム（干渉過負荷インジケータ生成制御装置）１０００、干渉過負荷インジケータ生成サブシステム（干渉過負荷インジケータ生成装置）２０００、および受送信サブシステム（受送信装置）３０００を含む。基地局２００／２０２／２０４のそれぞれは、Ｘ２インターフェースを通じて互いに接続される。
【００２８】
干渉過負荷インジケータ生成制御サブシステム１０００は、本発明における干渉過負荷インジケータ生成制御装置に対応し、検出ユニット１０１０、比較ユニット１０２０、トリガユニット１０３０、およびタイマー１０４０を含む。
【００２９】
検出ユニット１０１０は、システム干渉関連パラメータを検出する（ステップＳ４００）。本発明において、上記システム干渉関連パラメータは、システム帯域幅における干渉のレベルおよびシステムリソースの負荷率の少なくともいずれか、または、一部のシステム帯域幅における干渉のレベルおよび一部のシステムリソースの負荷率の少なくともいずれかを含む。しかし、これに限られない。
【００３０】
比較ユニット１０２０は、上記システム干渉関連パラメータの検出値と予め設定されたしきい値とを比較する（ステップＳ４０２）。
【００３１】
トリガユニット１０３０は、比較ユニット１０２０による結果に基づいて、本発明における干渉過負荷インジケータ生成サブシステム２０００を制御して動作させる（ステップＳ４０４）。
【００３２】
タイマー１０４０は、システムタイムに対して計時を行うとともに、干渉過負荷インジケータの送信タイミングを記憶する。この場合、上記システム干渉関連パラメータはシステムタイムとすることができ、上記予め設定されたしきい値は干渉過負荷インジケータの送信タイミングとすることができる。システムタイムが干渉過負荷インジケータの送信タイミングに達したとき、トリガユニット１０３０は本発明による干渉過負荷インジケータ生成サブシステム２０００を制御して動作させる。
【００３３】
干渉過負荷インジケータ生成サブシステム２０００は、本発明における干渉過負荷インジケータ生成装置に対応し、干渉過負荷レベル確定ユニット（確定手段）２０１０、干渉過負荷レベルのコーディングユニット２０２０、干渉過負荷インジケータ生成ユニット（生成手段）２０３０、システム平均干渉レベル演算ユニット２０１２、サブバンド区分ユニット２０２２、記憶装置（記憶ユニット）２０２５、インデックスナンバー生成ユニット２０３２、およびビットマップ生成ユニット２０３４を含む。
【００３４】
干渉過負荷レベル確定ユニット２０１０は、予め設定した条件に基づいて、アップリンクデータの伝送に用いられるそれぞれの周波数スペクトルリソースブロックにおける干渉過負荷レベルを確定する（ステップＳ５００）。上記干渉過負荷レベルには複数のレベルがあり、上記確定ユニットは、上記予め設定された条件に基づいて、上記干渉過負荷レベルを、上記複数のレベルのいずれか１つに確定する。本発明において、周波数スペクトルリソースブロックにおける干渉雑音比のしきい値、干渉値のしきい値、サービス品質の満足度のしきい値、負荷状態、受ける干渉の状況、および境界のユーザ数の少なくとも１つに基づいて、上記予め設定された条件を確定することができる。しかし、本発明はこれに限られない。
【００３５】
干渉過負荷レベルのコーディングユニット２０２０は、干渉過負荷レベル確定ユニット２０１０が確定した周波数スペクトルリソースブロックのそれぞれにおける干渉過負荷レベルに対して、コーディングまたは状態コーディングを行って、干渉過負荷コードまたは干渉過負荷状態コードを生成する（ステップＳ５０５）。本発明には、多種のコーディング方式と多種の状態コーティング方式が提供されている。
【００３６】
具体的には、後述のステップＳ５０５を参照しながら詳細に説明する。コーディングを行なう際、記憶装置２０２５に記憶されているコーディング／デコーディングテーブル、差分コーディング／デコーディングテーブル、状態コーディング／デコーディングテーブル、およびサブバンド区分ユニット２０２２によるサブバンド区分機能を利用することがあるが、これらの機能および操作は必ずしも必要であるものではなく、本分野の当業者が実情に合わせて、その他の適切な構成を使用することができる。従って、このような他の適切な構成も、本発明の範囲内に含まれると理解すべきである。
【００３７】
干渉過負荷インジケータ生成ユニット２０３０は、干渉過負荷レベルのコーディングユニット２０２０によって生成された干渉過負荷コードまたは干渉過負荷状態コードに基づいて、干渉過負荷インジケータを生成し、これにより、該生成された干渉過負荷インジケータがそれぞれの周波数スペクトルリソースブロックにおける干渉過負荷レベルを反映することができる。本発明において、多種の干渉過負荷インジケータ生成処理が提供されているが、後述のステップＳ５１０に基づいて詳細に説明する。
【００３８】
干渉過負荷インジケータ生成処理の過程において、インデックスナンバー生成ユニット２０３２により生成される周波数スペクトルリソースブロックのインデックスナンバーまたはビットマップ生成ユニット２０３４により生成されるビットマップを利用することがあるが、これらの機能および操作は必ずしも必要であるものではなく、本分野の当業者が実情に合わせて、その他の適切な構成を使用することができる。従って、このような他の適切な構成も、本発明の範囲内に含まれると理解すべきである。
【００３９】
システム平均干渉レベル演算ユニット２０１２は、システム帯域幅における干渉過負荷レベルを取得する。この場合、干渉過負荷レベルのコーディングユニット２０２０は、システム平均干渉レベル演算ユニット２０１２が取得した上記干渉過負荷レベルに対してコーディングを行って、平均干渉過負荷コードを生成することができる。
【００４０】
記憶装置２０２５は、干渉過負荷レベルのコーディングユニット２０２０がコーディング操作を行うことに必要であるコーディング／デコーディングテーブル、差分コーディング／デコーディングテーブル、および状態コーディング／デコーディングテーブルの少なくとも１つを記憶する。
【００４１】
サブバンド区分ユニット２０２２は、すべての周波数スペクトルリソースブロックを複数のサブバンドに区分する。本発明において、サブバンドの区分の仕方については、具体的な限定を行なわない。すなわち、等しいサイズに区分してもよいし、ばらばらのサイズに区分してもよい。それぞれのサブバンドは、少なくとも１つの周波数スペクトルリソースブロックを含む。
【００４２】
インデックスナンバー生成ユニット２０３２は、周波数スペクトルリソースブロックを表す周波数スペクトルリソースブロックのインデックスナンバーを生成する。
【００４３】
ビットマップ生成ユニット２０３４は、それぞれの周波数スペクトルリソースブロックを表すビットマップを生成する。上記ビットマップにおいて、異なる干渉過負荷レベルを有する周波数スペクトルリソースブロックのそれぞれを、異なるビット値「０」および「１」を割り当てることによって区別する。具体的には、最も低い干渉過負荷レベルを有する周波数スペクトルリソースブロックと、最も低い干渉過負荷レベルを除いた干渉過負荷レベルを有する周波数スペクトルリソースブロックとを区別するか、または、上記干渉過負荷レベルより高い干渉過負荷レベルを有する周波数スペクトルリソースブロックと、その他の干渉過負荷レベルを有する周波数スペクトルリソースブロックとを区別する。しかし、本発明はこれに限られるものではなく、上記ビットマップを利用して、他の異なる属性を有する周波数スペクトルリソースブロックを区別することもできる。
【００４４】
受送信サブシステム３０００は、本発明の受送信装置に対応し、その他の基地局およびユーザ機器の少なくともいずれかとの相互通信を行うことに用いられ、干渉過負荷インジケータ生成制御サブシステム１０００および干渉過負荷インジケータ生成サブシステム２０００へ、または、干渉過負荷インジケータ生成制御サブシステム１０００および干渉過負荷インジケータ生成サブシステム２０００から通信データを発信および／または送信し、かつ、上記干渉過負荷インジケータ生成サブシステム２０００により生成された干渉過負荷インジケータを送信する。
【００４５】
以上の記載では、基地局２００／２０２／２０４のブロック図を参照しながら、本発明の基地局２００／２０２／２０４の構成に対応して概略的に説明した。しかし、本発明の基地局は、上述した具体的な実施形態に限られず、上述したすべてのユニットモジュールまたは一部の必須のユニットモジュールのみを含むことができ、あるいは、上述したユニットモジュールに対して更なる組み合わせおよび／または分割を行うこともできる。また、本発明の基地局におけるそれぞれのユニットモジュールは、ハードウェア、ファームウェア、ソフトウェア、またはそれらの組み合わせにより実現することができる。ここでは、その実現の方式について具体的な限定を行わない。
【００４６】
図２Ｂは、本発明による干渉過負荷インジケータの生成制御方法の流れ図を示す。該方法は、以下のステップを含む。
【００４７】
ステップＳ４００：基地局は、システム干渉関連パラメータを検出する。本発明において、上記システム干渉関連パラメータは、システム帯域幅における干渉のレベルおよびシステムリソースの負荷率の少なくともいずれか、または、一部のシステム帯域幅における干渉のレベルおよび一部のシステムリソースの負荷率の少なくともいずれかを含んでいるが、これに限られない。
【００４８】
ステップＳ４０２：基地局は、干渉過負荷インジケータの生成開始条件を満たすか否かを判断する。本発明において、全体のシステム帯域幅における干渉レベルＡがしきい値Ｋを上回ることを干渉過負荷インジケータの生成開始条件とすることができる。また、本発明において、システムリソースの負荷率Ｂがしきい値Ｌを上回ることを干渉過負荷インジケータの生成開始条件とすることもできる。
【００４９】
好ましくは、基地局は全体のシステム帯域幅における干渉レベルＡを検出し、しきい値Ｋと比較して、Ａ＞Ｋの場合、干渉過負荷インジケータの生成が開始され、そうでない場合、干渉過負荷インジケータの生成が開始されない。上記システム帯域幅における干渉レベルＡは、システム帯域幅における干渉出力密度値、システム帯域幅における干渉雑音比、システム帯域幅における干渉出力密度の平均値、システム帯域幅における平均干渉雑音比、またはシステム帯域幅における干渉のレベルを表示可能な他の量である。
【００５０】
または、好ましくは、基地局がシステムの負荷状態を検出し、システムリソースの負荷率をＢと仮定し、それとしきい値Ｌとを比較して、Ｂ＞Ｌの場合、干渉過負荷インジケータの生成が開始され、そうでない場合、干渉過負荷インジケータの生成が開始されない。上記システムリソースの負荷率Ｂは、データ伝送チャネルリソースおよびコントロールシグナリングチャネルリソースの少なくともいずれかのリソースの占有率を含む。
【００５１】
本明細書の具体的な実施形態の記載において、ＬＴＥシステムの具体的な配置を考慮する。３ＧＰＰ組織の資料であるTR 25.814 V1.5.0「Physical Layer Aspects for Evolved UTRA」、R1-063013「Approved minutes of 3GPP TSG RAN WG1 ＃46 in Tallinn」、およびR1-080631「Report of 3GPP TSG RAN WGl #5lbis v1.0.0」によると、帯域幅が２０ＭＨｚであるアップリンクＬＴＥシステムにおいて、周波数領域に１００個の周波数スペクトルリソースブロックを有する。そのうちの４つの周波数スペクトルリソースブロックがコントロールシグナリングに用いられると仮定する場合、残りの９６個の周波数スペクトルリソースブロックは、アップリンクデータの伝送に用いられ、それらを１〜９６に番号付けることができる。それぞれの周波数スペクトルリソースブロックに対して、１つの独立した干渉過負荷インジケータと１つの強干渉インジケータとを有する。
【００５２】
・それぞれの干渉過負荷インジケータは、さらに４つまたは３つのグレードに分けられる。つまり、無干渉過負荷レベル、低干渉過負荷レベル、中干渉過負荷レベル、および高干渉過負荷レベルという４つのレベルに分けられるか、または、低干渉過負荷レベル、中干渉過負荷レベル、および高干渉過負荷レベルという３つのレベルに分けられる。
【００５３】
・強干渉インジケータは、ビットマップのシグナリングを使用して送信する。つまり、長さが周波数スペクトルリソースブロックの数であるビットシリーズを使用して、周波数スペクトルリソースブロックとマッピングする。これにより、それぞれの周波数スペクトルリソースブロックは、ビットシリーズの中の１ビットにより表示される。周波数スペクトルリソースブロックが強干渉周波数スペクトルリソースブロックである場合、その相応するビットを１と設定し、周波数スペクトルリソースブロックが強干渉周波数スペクトルリソースブロックでない場合、その相応するビットを０と設定する。
【００５４】
また、基地局間で、Ｘ２インターフェースを通じて干渉過負荷インジケータおよび強干渉インジケータの少なくともいずれかを送信する頻度は、高くとも２０ｍｓに１回である。ここで、上記パラメータの数値は本発明の応用を説明するために挙げた一例に過ぎず、その数値を変更しても本発明は実施可能であることは言うまでもない。
【００５５】
本実施例において、以下の５つの応用例を挙げられる。
【００５６】
例１：図１に示すマルチセル方式システムにおいて、基地局２００について、２０ｍｓごとに、システム帯域幅における干渉出力密度ＰＩをシステム帯域幅における干渉レベルＡとし、しきい値Ｋと比較して、Ａ＞Ｋの場合、干渉過負荷インジケータの生成が開始され、そうでない場合、干渉過負荷インジケータの生成が開始されない。
【００５７】
例２：図１に示すマルチセル方式システムにおいて、基地局２００について、２０ｍｓごとに、ＰＩ’＝ＰＩ／ＰＮをシステム帯域幅における干渉レベルＡとする。ここで、ＰＩは、システム帯域幅における干渉の出力密度値であり、ＰＮは、システム帯域幅における雑音の出力密度値である。Ａとしきい値Ｋとを比較して、Ａ＞Ｋの場合、干渉過負荷インジケータの生成が開始され、そうでない場合、干渉過負荷インジケータの生成が開始されない。
【００５８】
例３：図１に示すマルチセル方式システムにおいて、基地局２００について、２０ｍｓごとに、システム帯域幅における平均干渉出力密度（数１）をシステム帯域幅における干渉レベルＡとして、しきい値Ｋと比較する、ここで、ａ１〜ａ９６は、それぞれ１〜９６番の周波数スペクトルリソースブロックの干渉出力密度値である。Ａ＞Ｋの場合、干渉過負荷インジケータの生成が開始され、そうでない場合、干渉過負荷インジケータの生成が開始されない。
【００５９】
【数１】
2010141934.tif 000003
【００６０】
例４：図１に示すマルチセル方式システムにおいて、基地局２００について、２０ｍｓごとに、平均干渉雑音比（数２）をシステム帯域幅における干渉レベルＡとして、しきい値Ｋと比較する。ここで、ａ’ｉ＝ａｉ／ｎｉ、ａ’１〜ａ’９６は、それぞれ１〜９６番の周波数スペクトルリソースブロックの干渉雑音比であり、ａ１〜ａ９６は、それぞれ１〜９６番の周波数スペクトルリソースブロックの干渉出力密度値である。ｎｉは、番の周波数スペクトルリソースブロックにおける雑音の出力密度値であり、ｉ＝１、２…、９６である。Ａ＞Ｋのとき、干渉過負荷インジケータの生成が開始され、そうでない場合、干渉過負荷インジケータの生成が開始されない。
【００６１】
【数２】
2010141934.tif 000004
【００６２】
例５：図１に示すマルチセル方式システムにおいて、基地局２００について、２０ｍｓごとに、９６個の周波数スペクトルリソースブロックが使用される平均確率（数３）を、システムリソースの負荷率Ｂとし、しきい値Ｌと比較する。ここで、ｂ１〜ｂ９６は、それぞれ１〜９６番の周波数スペクトルリソースブロックが使用される確率である。Ｂ＞Ｌのとき、干渉過負荷インジケータの生成が開始され、そうでない場合、干渉過負荷インジケータの生成が開始されない。
【００６３】
【数３】
2010141934.tif 000005
【００６４】
ここで、上記の例１ないし例４は、本実施例のシステム帯域幅における干渉レベルＡについて例示的に説明したが、これに限られるものでない。すなわち、本実施例において、他の公式の形式でシステム帯域幅における干渉レベルＡを取得することもできる。同様に、例５は、システムリソースの占有率Ｂについて説明したが、システムリソースの占有率Ｂの実現は、例５の公式の形式に限られるものではない。すなわち、本実施例において、他の公式の形式でシステムリソースの占有率Ｂを取得することもできる。
【００６５】
また、例３ないし例５はいずれも、それぞれの周波数スペクトルリソースブロックに対して分析を行うが、実際の応用においては、周波数スペクトルリソースブロックをグループに分けて、グループを単位として分析することもできる。該方法の長所は、演算量が比較的に少ないことにある。本実施例では、周波数スペクトルリソースブロックのグループに分けて実現する方式（つまり、一部のシステム帯域幅における干渉レベルおよび一部のシステムリソースの負荷率の少なくともいずれか）を使用することができる。すなわち、周波数スペクトルリソースブロックのインデックスナンバー（数４）を、周波数スペクトルのリソースのグループのインデックスナンバー（数４）に取り替え、かつ、周波数スペクトルリソースのグループを等価の周波数スペクトルリソースブロックとすることで、例３ないし例５は、依然として成立する。
【００６６】
【数４】
2010141934.tif 000006
【００６７】
また、該ステップにおいて、しきい値Ｋまたはしきい値Ｌがゼロである場合（この場合、システムタイムと干渉過負荷インジケータの送信タイミングとの関係のみを考慮すればよい）、本発明は直接次のステップに入ることも許される。この場合、干渉過負荷インジケータの生成制御メカニズムは存在せず、基地局は、干渉過負荷インジケータを送信可能ないずれのタイミングでも干渉過負荷インジケータを送信することができる。
【００６８】
ステップＳ４０４：基地局が干渉過負荷インジケータの生成開始条件が満たされていることを確定した場合、本発明による干渉過負荷インジケータ生成処理が起動される。
【００６９】
図２Ｃは、本発明による干渉過負荷インジケータの生成方法の流れ図であり、具体的には、以下のステップを含む。
【００７０】
ステップＳ５００：予め設定した条件に基づいて、アップリンクデータの伝送に用いられるそれぞれの周波数スペクトルリソースブロックにおける干渉過負荷レベルを確定する。
【００７１】
ステップＳ５０５：確定されたそれぞれの周波数スペクトルリソースブロックにおける干渉過負荷レベルに対してコーディングまたは状態コーディングを行って、干渉過負荷コードまたは干渉過負荷状態コードを生成する。
【００７２】
ステップＳ５１０：生成された干渉過負荷コードまたは干渉過負荷状態コードに基づいて、干渉過負荷インジケータを生成する。これにより、該生成された干渉過負荷インジケータがそれぞれの周波数スペクトルリソースブロックにおける干渉過負荷レベルを反映することができるようになる。
【００７３】
本実施例において、２０個の応用例が挙げられており、２つの干渉過負荷シーンが使用される。上記干渉過負荷シーンの概略図は、それぞれ図３および図４示すとおりである。
【００７４】
図３において、４つの干渉過負荷レベルがあり、かつ、干渉過負荷レベル（無干渉過負荷レベル、低干渉過負荷レベル、中干渉過負荷レベル、高干渉過負荷レベル）を確定する条件は、Ｃ０、Ｃ１、およびＣ２であると仮定する。Ｃ０を満たさないとき、「無干渉過負荷」とし、Ｃ０は満たしているがＣ１を満たさないとき、「低干渉過負荷」とし、Ｃ１を満たしているがＣ２を満たさないとき、「中干渉過負荷」とし、Ｃ２を満たすとき、「高干渉過負荷」とする。図３において、Ｃ０は、周波数スペクトルリソースブロックにおける干渉雑音比が、しきい値ＫＬより大きいことであり、Ｃ１は、周波数スペクトルリソースブロックにおける干渉雑音比が、しきい値ＫＭより大きいことであり、Ｃ２は、周波数スペクトルリソースブロックにおける干渉雑音比が、しきい値ＫＨより大きいことであり、かつ、ＫＬ＜ＫＭ＜ＫＨという関係がある。ここで、干渉過負荷レベルを確定する条件として干渉雑音比のしきい値を基準とするのは、複数のレベルの干渉過負荷を例示して説明するためである。事実上、Ｃ０、Ｃ１、Ｃ２は、任意の条件（たとえば、干渉値のしきい値、サービス品質の満足度のしきい値など）であってもよいが、Ｃｉ（ｉは条件の順番である）の総数は、干渉過負荷レベルを１つに確定させるものでなければならない。
【００７５】
ここで、Ｃｉを確定する方法としていろいろあるが、たとえば、上位のネットから基地局に対して配置を行うときＣｉを確定することができ、または、それぞれの基地局にて自局の状況（システムの負荷状態、受ける干渉の状況、境界のユーザ数などを含む）に従ってＣｉを確定することもできる。また、基地局同士は、Ｘ２インターフェースを通じて双方のＣｉを相互に通知することもできる。これにより、基地局間において干渉過負荷レベルの意味をより正確に理解することができる。もちろん、相互に通知しなくてもよいが、この場合でも干渉過負荷インジケータを送信することが可能である。従って、図３において、しきい値ＫＬ、ＫＭ、およびＫＨは、上位のネットにより配置されることができ、または、それぞれの基地局より単独で確定することもでき、Ｘ２インターフェースを通じて基地局の間でＫＨ、ＫＬ、およびＫＭを相互に通知することができる。
【００７６】
１〜１０番の周波数スペクトルリソースブロックを対象とする場合、それぞれの周波数スペクトルリソースブロックにおける干渉雑音比とＫＬ、ＫＭ、ＫＨとの比較結果に基づいて、１〜１０番の周波数スペクトルリソースブロックにおける干渉過負荷レベルを取得することができる。その結果は、「低、無、無、低、高、中、無、無、無、無」である（「無」は「無干渉過負荷レベル」を意味し、「低」は「低干渉過負荷レベル」を意味し、「中」は「中干渉過負荷レベル」を意味し、「高」は「高干渉過負荷レベル」を意味する）（ステップＳ５００）。表１における干渉過負荷コーディングテーブルを利用して干渉過負荷レベルに対するコーディングを行うことにより、１〜１０番の周波数スペクトルリソースブロックにおける干渉過負荷インジケータを取得することができる。その結果は、０１、００、００、０１、１l、１０、００、００、００、００である（ステップＳ５０５。以下に、実施例を参照しながら詳細に説明する）。
【００７７】
【表１】
2010141934.tif 000007
【００７８】
ここで、表１に示す干渉過負荷コードは、干渉過負荷レベルと干渉過負荷コードとの間のマッピングの一例にすぎず、実際に応用する際は、干渉過負荷レベルと干渉過負荷コードとの間で１対１のマッピング関係を満たすならば、その他の干渉過負荷コードを利用することもできる。この場合でも、本発明の実施は可能である。本実施例は、全ての干渉過負荷レベルに対してコーディングを行なう、干渉レベルコーディングの実施例とみなすことができる。
【００７９】
図４において、３つの干渉過負荷レベルがあり（低干渉過負荷レベル、中干渉過負荷レベル、高干渉過負荷レベル）、かつ、干渉過負荷レベルを決定するの条件はＣ１およびＣ２であると仮定する。Ｃ１を満たさないとき、「低干渉過負荷」とし、Ｃ１を満たしているがＣ２を満たさないとき、「中干渉過負荷」とし、Ｃ２を満たすとき、「高干渉過負荷」とする。図４において、Ｃ１は、周波数スペクトルリソースブロックにおける干渉雑音比がしきい値ＫＭより大きいことであり、Ｃ２は、周波数スペクトルリソースブロックにおける干渉雑音比がしきい値ＫＨより大きいことであり、かつ、ＫＭ＜ＫＨという関係がある。ここで、干渉雑音比のしきい値を干渉過負荷レベルを確定する条件とするのは、複数のレベルの干渉過負荷を例示的に説明するのみである。事実上、Ｃ１およびＣ２は、任意の条件であってよい（たとえば、干渉値のしきい値、サービス品質の満足度のしきい値など）。しかし、Ｃｉ（ｉは条件の順番である）の総数は、干渉過負荷レベルを１つに確定させるものでなければならない。
【００８０】
ここで、Ｃｉを確定する方法としていろいろあるが、上位のネットから基地局に対して配置を行うときＣｉを確定することができ、または、それぞれの基地局にて自局の状況（システムの負荷状態、受ける干渉の状況、境界のユーザ数などを含む）に従ってＣｉを確定することもできる。また、基地局の間は、Ｘ２インターフェースを通じて双方のＣｉを相互に通知することもできる。これにより、基地局の間で干渉過負荷レベルの意味についてより正確に理解することができる。もちろん、相互に通知しなくてもよいが、この場合も干渉過負荷インジケータの送信が可能である。従って、図４において、しきい値ＫＭとＫＨは上位のネットにより配置されることができ、または、それぞれの基地局より単独で確定することもでき、Ｘ２インターフェースを通じて基地局間でＫＭおよびＫＨを相互に通知することもできる。
【００８１】
１〜１０番の周波数スペクトルリソースブロックを対象とする場合、それぞれの周波数スペクトルリソースブロックにおける干渉雑音比とＫＭ、ＫＨとの比較結果によって、１〜１０番の周波数スペクトルリソースブロックにおける干渉過負荷レベルを取得することができる。その結果は、「中、低、低、中、高、中、低、低、低、低」である（「低」は「低干渉過負荷レベル」を意味し、「中」は「中干渉過負荷レベル」を意味し、「高」は「高干渉過負荷レベル」を意味する）（ステップＳ５００）。表２における干渉過負荷コーディングテーブルを利用して干渉過負荷レベルに対しコーディングを行うことにより、１〜１０番の周波数スペクトルリソースブロックにおける干渉過負荷インジケータを得ることができる。その結果は、１０、０１、０１、１０、１１、１０、０１、０１、０１、０１である（ステップＳ５０５、以下に、実施例と併せて詳細に説明する）。
【００８２】
【表２】
2010141934.tif 000008
【００８３】
ここで、表２に示す干渉過負荷コードは、干渉過負荷レベルと干渉過負荷コードとの間のマッピングの一例にすぎず、実際に応用する際は、干渉過負荷レベルと干渉過負荷コードとの間で１対１のマッピング関係を満たすならば、その他の干渉過負荷コードを利用することもできる。この場合でも、本発明の実施は可能である。本実施例は、最も低い干渉過負荷レベルを除いた干渉過負荷レベルに対してコーディングを行なう、高干渉過負荷コーディングの実施例とみなすことができる。
【００８４】
また、図３および図４は、それぞれの周波数スペクトルリソースブロックに対して分析を行うが、実際の応用においては、周波数スペクトルリソースブロックをグループに分けて、グループを単位として分析を行うこともできる。該方法の長所は、演算量が比較的に少ないことにある。本実施例は、周波数スペクトルリソースブロックのグループに分けて実現する方式を除外しない。周波数スペクトルリソースブロックのインデックスナンバーｉを、周波数スペクトルのリソースのグループのインデックスナンバーｉに取り替え、周波数スペクトルのリソースのグループを等価の周波数スペクトルリソースブロックとすることのみで、本発明のすべての実施例は、依然として成立する。また、一段階の干渉過負荷インジケータである場合（無干渉過負荷レベルおよび干渉過負荷レベルのみがある場合）、本発明のいくつかの実施は更に簡略化されるが、以下の応用の実施例に対する説明において、実施における簡略化された部分について特別に説明する。
【００８５】
次いで、具体的な実施例と併せて、本発明による干渉過負荷インジケータの生成方法におけるステップＳ５０５およびＳ５１０について詳細に説明する。
【００８６】
本発明は、下記のシグナリング構造を提供する。
【００８７】
１、干渉過負荷コードシリーズのシグナリング。
【００８８】
２、インデックスナンバーと干渉過負荷コードシリーズとをカスケーディングしたシグナリング。
【００８９】
３、干渉過負荷差分コードシリーズのシグナリング。
【００９０】
４、分段された干渉過負荷差分コードシリーズのシグナリング。
【００９１】
５、干渉過負荷ビットマップと干渉過負荷コードシリーズとをカスケーディングしたシグナリング。
【００９２】
６、干渉過負荷ビットマップと干渉過負荷差分コードシリーズとをカスケーディングしたシグナリング。
【００９３】
７、システム帯域幅における干渉過負荷コードと周波数スペクトルリソースブロックの干渉強度ビットマップとをカスケーディングしたシグナリング。
【００９４】
８、システム帯域幅における干渉過負荷コードと、周波数スペクトルリソースブロックの干渉強度ビットマップと、干渉が比較的に強い周波数スペクトルリソースブロックの干渉過負荷コードシリーズとをカスケーディングしたシグナリング。
【００９５】
例１：干渉過負荷コードシリーズのシグナリング。
【００９６】
干渉過負荷コードシリーズを、直接、干渉過負荷インジケータのシグナリングとする（ステップＳ５１０）。本実施例は、全ての干渉過負荷レベルに対してコーディングを行なう、干渉過負荷コーディングの実施例とみなすことができる。
【００９７】
図３に示す干渉過負荷シーンを使用する。該実施例の概略図は、図５に示すとおりである。１〜１０番の周波数スペクトルリソースブロックについて、それぞれの周波数スペクトルリソースブロックにおける干渉過負荷コードは２ビットであり、干渉過負荷インジケータのシグナリングは、１〜１０番の周波数スペクトルリソースブロックの干渉過負荷コードがカスケーディングして生成される。すなわち、「０１０００００１１１１０００００００００」であり、そのシグナリングサイズは２０ビットである。
【００９８】
該干渉過負荷インジケータを受信した基地局は、ビットシリーズに対し２つずつを１つの干渉過負荷コードに組合せ、更に、表１に従ってデコーディングを行うことにより、１〜１０番の周波数スペクトルリソースブロックの干渉過負荷レベルを取得する。その結果は、「低、無、無、低、高、中、無、無、無、無」であり、該結果は、基地局が送信した干渉過負荷レベルと完全に一致し、誤りがない。
【００９９】
該シグナリングの構造は比較的に簡単であるが、シグナリングサイズが相対的に大きいという欠点もある。
【０１００】
例２：干渉過負荷コードシリーズのシグナリング。
【０１０１】
干渉過負荷コードシリーズを、直接、干渉過負荷インジケータのシグナリングとする（ステップＳ５１０）。本実施例は、最も低い干渉過負荷レベルを除いた干渉過負荷レベルに対してコーディングを行なう、高干渉過負荷コーディングの実施例とみなすことができる。
【０１０２】
図４に示す干渉過負荷シーンを使用する。該実施例の概略図は、図６に示すとおりである。１〜１０番の周波数スペクトルリソースブロックについて、それぞれの周波数スペクトルリソースブロックにおける干渉過負荷コードは２ビットで、干渉過負荷インジケータのシグナリングは、l〜１０番の周波数スペクトルリソースブロックの干渉過負荷コードがカスケーディングして生成される。すなわち、「１００１０１１０１１１００１０１０１０１」であり、そのシグナリングサイズは２０ビットである。
【０１０３】
該干渉過負荷インジケータを受信した基地局は、ビットシリーズに対し２つずつを１つの干渉過負荷コードに組合せ、更に、表２に従ってデコーディングを行って、１〜１０番の周波数スペクトルリソースブロックの干渉過負荷レベルを取得する。その結果は、「中、低、低、中、高、中、低、低、低、低」であり、該結果は、基地局が送信した干渉過負荷レベルと完全に一致し、誤りがない。
【０１０４】
該シグナリングの構造は比較的に簡単であるが、シグナリングサイズが相対的に大きいという欠点もある。
【０１０５】
例３：インデックスナンバーと干渉過負荷コードシリーズとをカスケーディングしたシグナリング。
【０１０６】
相対的に高いレベルの干渉過負荷を生成される周波数スペクトルリソースブロックに対して、そのインデックスナンバーと、相応する干渉過負荷コードとをカスケーディングして、周波数スペクトルリソースブロックのインデックスナンバーと干渉過負荷コードとの１対１の対応関係を実現し、更に、すべての相対的に高いレベルの干渉過負荷が生成される周波数スペクトルリソースブロックの上記シグナリングのグループを干渉過負荷インジケータのシグナリングとする（ステップＳ５１０）。本実施例は、インデックスナンバーと、全ての干渉過負荷レベルに対してコーディングした干渉過負荷コードとをカスケーディングしたインデックスナンバーカスケーディングの実施例とみなすことができる。
【０１０７】
図３に示す干渉過負荷シーンを使用する。該実施例の概略図は、図７に示すとおりである。「低干渉過負荷レベル」、「中干渉過負荷レベル」、および「高干渉過負荷レベル」が相対的に高いレベルの干渉の過負荷であると判断する場合、１〜１０番の周波数スペクトルリソースブロックの中で相対的に高いレベルの干渉の過負荷を生成する周波数スペクトルリソースブロックは、１、４、５、６番の周波数スペクトルリソースブロックである。合計で９６個の周波数スペクトルリソースブロックがあるため、７ビットを用いて、周波数スペクトルリソースブロックのインデックスナンバーに対し、１０進数コードから２進数コードへの転換を行う必要がある。
【０１０８】
１番の周波数スペクトルリソースブロックについて、その周波数スペクトルリソースブロックのインデックスナンバーの２進数コードは００００００１であり、表１によって得られる干渉過負荷コードは０１であり、カスケーディングした後は「００００００１０１」で、合計で９ビットである。同じように、４番の周波数スペクトルリソースブロックについて、その周波数スペクトルリソースブロックのインデックスナンバーの２進数コードは００００１００であり、表１によって得られる干渉過負荷コードは０１であり、カスケーディングした後は「００００１０００１」である。５番の周波数スペクトルリソースブロックについて、その周波数スペクトルリソースブロックのインデックスナンバーの２進数コードは００００１０１であり、表１によって得られる干渉過負荷コードは１１であり、カスケーディングした後は「００００１０１１１」である。６番の周波数スペクトルリソースブロックについて、その周波数スペクトルリソースブロックのインデックスナンバーの２進数コードは００００１１０であり、表１によって得られる干渉過負荷コードは１０であり、カスケーディングした後は「００００１１０１０」である。
【０１０９】
従って、最終的に生成される干渉過負荷インジケータのシグナリングは、「００００００１０１||００００１０００１||００００１０１１１||００００１１０１０」である。ここで、符号「||」は、単にビットのカスケーディングを表すものであり、実際に伝送されるシグナリングにおいては相応する表示は存在しない。そのシグナリングサイズは、９×４＝３６ビットである。
【０１１０】
該干渉過負荷インジケータを受信した基地局は、９ビットごとを１つの周波数スペクトルリソースブロックの干渉過負荷インジケータとし、前の７ビットから周波数スペクトルリソースブロックのインデックスナンバーを取得し、後の２ビットを表１で検索して、該周波数スペクトルリソースブロックの干渉過負荷レベルを取得する。干渉過負荷インジケータのシグナリングにおいて干渉過負荷レベルが明示されなかった周波数スペクトルリソースブロックについて、その干渉過負荷レベルが「無干渉過負荷」と判断する。従って、取得した１〜１０番の周波数スペクトルリソースブロックの干渉過負荷レベルは、「低、無、無、低、高、中、無、無、無、無」である。該結果は、基地局が送信した干渉過負荷レベルと完全に一致しており、誤りがない。
【０１１１】
該シグナリングの構造は、比較的に簡単であり、少量の周波数スペクトルリソースブロックが干渉の過負荷が生成される場合にシグナリングサイズは相対的に小さい。しかし、大量の周波数スペクトルリソースブロックが干渉の過負荷が生成される場合に、シグナリングサイズが相対的に大きいという欠点もある。
【０１１２】
例４：インデックスナンバーと干渉過負荷コードシリーズとをカスケーディングしたシグナリング。
【０１１３】
相対的に高いレベルの干渉の過負荷を生成する周波数スペクトルリソースブロックについて、そのインデックスナンバーと相応する干渉過負荷コードとをカスケーディングして、周波数スペクトルリソースブロックのインデックスナンバーと干渉過負荷コードとを１対１に対応させ、更に、すべての相対的に高いレベルの干渉の過負荷を生成する周波数スペクトルリソースブロックの上記のシグナリングのグループを干渉過負荷インジケータのシグナリングとする（ステップＳ５０５およびＳ５１０）。本実施例は、インデックスナンバーと、最も低い干渉過負荷レベルを除いた干渉過負荷レベルに対してコーディングを行った高干渉過負荷コードとをカスケーディングしたインデックスナンバーカスケーディングの実施例とみなすことができる。
【０１１４】
図４に示す干渉過負荷シーンを使用する。該実施例の概略図は図８に示すとおりである。「中干渉過負荷レベル」および「高干渉過負荷レベル」が相対的に高いレベルの干渉の過負荷であると判断する場合、１〜１０番の周波数スペクトルリソースブロックの中で相対的に高いレベルの干渉の過負荷を生成する周波数スペクトルリソースブロックは、１、４、５、６番の周波数スペクトルリソースブロックである。合計で９６個の周波数スペクトルリソースブロックがあるため、７ビットを用いて、周波数スペクトルリソースブロックのインデックスナンバーに対して、１０進数コードから２進数コードへの転換を行う必要がある。１番の周波数スペクトルリソースブロックについて、その周波数スペクトルリソースブロックのインデックスナンバーの２進数コードは００００００１であり、表３によって得られる干渉過負荷コードは０であり、カスケーディングした後は「００００００１０」で、合計で８ビットである。
【０１１５】
【表３】
2010141934.tif 000009
【０１１６】
ここで、相対的に高いレベルの干渉過負荷が「中干渉過負荷レベル」と「高干渉過負荷レベル」との２種類の場合しかないため、１ビットのコードを使えばよい。従って、簡略化後の表３を利用し、上述した表２を利用しない。もちろん、表２を使用しても本発明を実施することができるが、シグナリングサイズが相対的に大きくなるので、好ましくない。また、表３に示す干渉過負荷コードは、干渉過負荷レベルと干渉過負荷コードとの間のマッピングの一例にすぎず、実際に応用する際は、干渉過負荷レベルと干渉過負荷コードとの間で１対１のマッピング関係を満たすならば、その他の干渉過負荷コードを利用することもできる。この場合でも、本発明は実施可能である（ステップＳ５０５）。
【０１１７】
同じように、４番の周波数スペクトルリソースブロックについて、その周波数スペクトルリソースブロックのインデックスナンバーの２進数コードは００００１００であり、表３によって得られる干渉過負荷コードは０であり、カスケーディングした後は「００００１０００」である。５番の周波数スペクトルリソースブロックについて、その周波数スペクトルリソースブロックのインデックスナンバーの２進数コードは００００１０１であり、表３によって得られる干渉過負荷コードは１であり、カスケーディングした後は「００００１０１１」である。６番の周波数スペクトルリソースブロックについて、その周波数スペクトルリソースブロックのインデックスナンバーの２進数コードは００００１１０であり、表３によって得られる干渉過負荷コードは０であり、カスケーディングした後は「００００１１００」である。従って、最終的に生成される干渉過負荷インジケータのシグナリングは、「００００００１０||００００１０００||００００１０１１||００００１１００」である。ここで、符号「||」は、単にビットのカスケーディングを表すものであり、実際に伝送されるシグナリングにおいては相応する表示は存在しない。そのシグナリングサイズは、８×４＝３２ビットである。
【０１１８】
該干渉過負荷インジケータを受信した基地局は、８ビットごとを１つの周波数スペクトルリソースブロックの干渉過負荷インジケータとし、前の７ビットから周波数スペクトルリソースブロックのインデックスナンバーを取得し、後の１ビットを表３で検索して、該周波数スペクトルリソースブロックの干渉過負荷レベルを取得する。干渉過負荷インジケータのシグナリングにおいて干渉過負荷レベルが明示されなかった周波数スペクトルリソースブロックについては、その干渉過負荷レベルが「低干渉過負荷」と判断する。従って、取得した１〜１０番の周波数スペクトルリソースブロックの干渉過負荷レベルは、「中、低、低、中、高、中、低、低、低、低」である。該結果は、基地局が送信した干渉過負荷レベルと完全に一致しており、誤りがない。
【０１１９】
該シグナリングの構造は、比較的に簡単であり、少量の周波数スペクトルリソースブロックに干渉の過負荷が生成された場合にシグナリングサイズが相対的に小さい。しかし、大量の周波数スペクトルリソースブロックが干渉の過負荷が生成される場合にシグナリングサイズが相対的に大きいという欠点もある。
【０１２０】
例５：干渉過負荷差分コードシリーズのシグナリング。
【０１２１】
１つの参照周波数スペクトルリソースブロックを選択し、その干渉過負荷コードを取得し、更に、隣接する周波数スペクトルリソースブロックに対して干渉過負荷差分コーティングを行う。差分コーディングの効果は、コーディングのビット数を減らすことにある。すなわち、比較的に少ないビットで隣接する周波数スペクトルリソースブロック間の干渉過負荷レベルの変化量をコーディングすることができる。差分コーディングは、一般的に差分コーティングテーブルと差分デコーディングテーブルとを利用して実現する。差分コーティングテーブルと差分デコーディングテーブルとにより得られた干渉過負荷差分コードシリーズを干渉過負荷インジケータのシグナリングとする（ステップＳ５０５およびＳ５１０）。
【０１２２】
図３に示す干渉過負荷シーンを使用する。該実施例の概略図は、図９に示すとおりである。まず、表４を干渉過負荷の差分コーティングテーブルとし、行索引は、現在デコーディング可能な干渉過負荷レベルを意味し、列索引は、次にデコーディングしようとする干渉過負荷レベルを意味する。該表中における数値は、行索引の条件と列索引の条件とを満たす差分コード値である。本実施例は、全ての干渉過負荷レベルに対して差分コーディングを行なう、干渉過負荷差分コーディングの実施例とみなすことができる。
【０１２３】
【表４】
2010141934.tif 000010
【０１２４】
ここで、現在デコーディング可能な干渉過負荷レベルは、差分デコーディングテーブルによって取得する。表５を干渉過負荷の差分コーティングテーブルとし、行索引は、その前にデコーディングした干渉過負荷レベルを意味し、列索引は、干渉過負荷差分コードを意味する。該表における数値は、現在デコーディング可能な干渉過負荷レベルである。
【０１２５】
【表５】
2010141934.tif 000011
【０１２６】
ここで、表４および表５に示す干渉過負荷差分コーディングテーブルと干渉過負荷差分デコーディングテーブルとは、差分コーディングの応用の一例にすぎず、実際の応用において、その他の干渉過負荷差分コーディングテーブルと干渉過負荷差分デコーディングテーブルを用いることができる。すなわち、コーディングテーブルとデコーディングテーブルにおける値が単一の値であることを満たすならば、本発明は実施可能である（ステップＳ５０５）。
【０１２７】
１〜１０番の周波数スペクトルリソースブロックについて、１番の周波数スペクトルリソースブロックを参照周波数スペクトルリソースブロックとして選択し（ここで、１番の周波数スペクトルリソースブロックを選択するのは１つの例にすぎず、事実上、任意に周波数スペクトルリソースブロックを選択して参照周波数スペクトルリソースブロックとすることができる）、表１に基づいて、その干渉過負荷コードが０１であることを確認し、更に表４より隣接する２番の干渉差分コード値が「０」であることを確認できる。
【０１２８】
その後、表５により、２番の周波数スペクトルリソースブロックにおいてデコーディング可能な干渉過負荷レベルは「無」であることが得られる。その後、表４により、隣接する３番の周波数スペクトルリソースブロックの干渉差分コード値が「０」であることを確認できる。……このように進むと、干渉過負荷差分コードシリーズ「０１００１１０００００」が得られ、１〜１０番の周波数スペクトルリソースブロックの干渉過負荷インジケータのシグナリングとすることができる。また、そのシグナリングサイズは２＋９＝１１ビットである。
【０１２９】
該干渉過負荷インジケータを受信した基地局は、まず表１から参照周波数スペクトルリソースブロック（１番の周波数スペクトルリソースブロック）の干渉過負荷レベルが「低」であることを確定し、その後、表５によって順次に隣接する周波数スペクトルリソースブロックの干渉過負荷レベルをデコーディングして、１〜１０番の周波数スペクトルリソースブロックの干渉過負荷レベルを得ることができる。その結果は、「低、無、無、低、中、低、無、無、無、無」である。ここで、５、６番の周波数スペクトルリソースブロックの干渉過負荷レベルに、相対的に小さい誤りが発生し、「高」および「中」のそれぞれから、「中」および「低」のそれぞれに誤ってデコーディングされている。これは、差分コーディングが相対的に大きい変化を追従することができないために生じた誤りである。
【０１３０】
上記のシグナリングの長所は、シグナリングサイズが相対的に小さいことであり、欠点は、干渉過負荷デコーディングに誤差が存在することである。
【０１３１】
例６：干渉過負荷差分コードシリーズのシグナリング。
【０１３２】
１つの参照周波数スペクトルリソースブロックを選択し、その干渉過負荷コードを取得し、その後、隣接する周波数スペクトルリソースブロックに対して干渉過負荷差分コーディングを行う。差分コーディングの効果は、コーディングのビット数を減らすことにある。すなわち、比較的に少ないビットで隣接する周波数スペクトルリソースブロック間の干渉過負荷レベルの変化量をコーディングすることができる。差分コーディングは、一般的に差分コーティングテーブルと差分デコーディングテーブルとを利用して実現する。差分コーティングテーブルと差分デコーディングテーブルとにより得られた干渉過負荷差分コードシリーズを干渉過負荷インジケータのシグナリングとする（ステップＳ５０５およびＳ５１０）。本実施例は、最も低い干渉過負荷レベルを除いた干渉過負荷レベルのみに対して差分コーディングを行なう、高干渉過負荷差分コーディングの実施例とみなすことができる。
【０１３３】
図４に示す干渉過負荷シーンを使用する。該実施例の概略図は、図１０に示すとおりである。まず、表６を干渉過負荷の差分コーティングテーブルとし、行索引は、現在デコーディング可能な干渉過負荷レベルを意味し、列索引は、次にデコーディングしようとする干渉過負荷レベルを意味する。該表における数値は、行索引の条件と列索引の条件とを満たす差分コード値である。
【０１３４】
【表６】
2010141934.tif 000012
【０１３５】
ここで、現在デコーディング可能な干渉過負荷レベルは、差分デコーディングテーブルによって取得する。表７は干渉過負荷の差分コーティングテーブルであるが、行索引は、その前にデコーディングした干渉過負荷レベルを意味し、列索引は、干渉過負荷差分コードを意味する。該表における数値は、現在デコーディング可能な干渉過負荷レベルである。
【０１３６】
【表７】
2010141934.tif 000013
【０１３７】
ここで、表６および表７に示す干渉過負荷差分コーディングテーブルと干渉過負荷差分デコーディングテーブルとは、差分コーディングの応用の一例にすぎず、実際の応用において、その他の干渉過負荷差分コーディングテーブルと干渉過負荷差分デコーディングテーブルとを用いることができる。すなわち、コーディングテーブルとデコーディングテーブルとにおける値が単一の値であることを満たすならば、本発明は実施可能である（ステップＳ５０５）。
【０１３８】
１〜１０番の周波数スペクトルリソースブロックについて、１番の周波数スペクトルリソースブロックを参照周波数スペクトルリソースブロックとして選択し（ここで、１番の周波数スペクトルリソースブロックを選択するのは１つの例にすぎず、事実上、任意に周波数スペクトルリソースブロックを選択して参照周波数スペクトルリソースブロックとすることができる）、表２に基づいて、その干渉過負荷コードが１０であることを確認し、その後、表６により隣接する２番の干渉差分コード値が「０」であることを確認できる。
【０１３９】
その後、表７により、２番の周波数スペクトルリソースブロックにおけるデコーディング可能な干渉過負荷レベルは「低」であることが得られる。その後、表６により、隣接する３番の周波数スペクトルリソースブロックの干渉差分コード値が「０」であることを確認できる。……このように進むと、干渉過負荷差分コードシリーズ「１０００１１０００００」が得られ、１〜１０番の周波数スペクトルリソースブロックの干渉過負荷インジケータのシグナリングとすることができる。また、そのシグナリングサイズは２＋９＝１１ビットである。
【０１４０】
該干渉過負荷インジケータを受信した基地局は、まず表２から参照周波数スペクトルリソースブロック（１番の周波数スペクトルリソースブロック）の干渉過負荷レベルが「中」であることを確定し、更に、表７によって順次に隣接する周波数スペクトルリソースブロックの干渉過負荷レベルをデコーディングして、１〜１０番の周波数スペクトルリソースブロックの干渉過負荷レベルを得ることができる。その結果は、「中、低、低、中、高、中、低、低、低、低」である。該結果は、基地局が送信する干渉過負荷レベルと完全に一致し、この実施例において誤りがない。しかし、これは図４に示す干渉過負荷シーンにおいて決して誤差が生じないということを意味しない。たとえば、「高」および「低」の干渉過負荷レベルをそれぞれ有する２つの隣接する周波数スペクトルリソースブロックが存在する場合、または、「低」および「高」の干渉過負荷レベルをそれぞれ有する２つの隣接する周波数スペクトルリソースブロックが存在する場合、誤りが生ずる。
【０１４１】
上記のシグナリングの長所は、シグナリングサイズが相対的に小さいことにあり、欠点は、干渉過負荷デコーディングに誤りが存在することである。
【０１４２】
例７：サブバンドに基づく干渉過負荷差分コードシリーズのシグナリング。
【０１４３】
まず、すべての周波数スペクトルリソースブロックをいくつかのサブバンドに区分する。本発明において、サブバンドの区分の仕方については、具体的な限定は行なわない。すなわち、等しいサイズに区分してもよいし、ばらばらのサイズに区分してもよい。ここで、それぞれのサブバンドの干渉過負荷レベルシリーズを、干渉過負荷レベルのサブシリーズと称する。
【０１４４】
それぞれのサブバンドに対して、１つの参照周波数スペクトルリソースブロックを選択してその干渉過負荷コードを取得し、その後、隣接する周波数スペクトルリソースブロックに対して干渉過負荷差分コーディングを行う。差分コーディングの効果は、コーディングのビット数を減らすことにある。すなわち、比較的に少ないビットで隣接する周波数スペクトルリソースブロック間の干渉過負荷レベルの変化量をコーディングすることができる。差分コーディングは、一般的に、差分コーティングテーブルと差分デコーディングテーブルとを利用して実現する。差分コーティングテーブルと差分デコーディングテーブルとにより得られたそれぞれのサブバンドの干渉過負荷差分コードシリーズをカスケーディングして、干渉過負荷インジケータのシグナリングとする（ステップＳ５０５およびＳ５１０）。本実施例は、それぞれのサブバンドの中において、全ての干渉過負荷レベルに対して差分コーディングを行なう、干渉過負荷のサブバンドの差分コードの実施例とみなすことができる。
【０１４５】
図３に示す干渉過負荷シーンを使用する。該実施例の概略図は、図１１に示すとおりである。表４を干渉過負荷の差分コーティングテーブルとし、表５を干渉過負荷の差分デコーティングテーブルとする。ここで、表４および表５に示す干渉過負荷差分コーディングテーブルと干渉過負荷差分デコーディングテーブルとは、差分コーディングの応用の一例にすぎず、実際の応用において、その他の干渉過負荷差分コーディングテーブルと干渉過負荷差分デコーディングテーブルとを用いることができる。すなわち、コーディングテーブルとデコーディングテーブルとにおける値が単一の値であることを満たすならば、本発明は実施可能である。
【０１４６】
１〜１０番の周波数スペクトルリソースブロックについて、１〜５番の周波数スペクトルリソースブロックがサブバンド１であり、６〜１０番の周波数スペクトルリソースブロックがサブバンド２であり、かつ、サブバンドにおいてインデックスナンバーが最小である周波数スペクトルリソースブロックをサブバンドの参照周波数スペクトルリソースブロックであると仮定する（１番の周波数スペクトルリソースブロックがサブバンド１の参照周波数スペクトルリソースブロックであり、６番の周波数スペクトルリソースブロックがサブバンド２の参照周波数スペクトルリソースブロックであり、……）。
【０１４７】
サブバンド１を例とする場合、表１に基づいて、その参照周波数スペクトルリソースブロック（１番の周波数スペクトルリソースブロック）の干渉過負荷コードが０１であり、更に、表４により隣接する２番の周波数スペクトルリソースブロックの干渉の差分コード値が「０」であり、更に、表５により２番の周波数スペクトルリソースブロックにおいてデコーディング可能な干渉過負荷レベルが「無」であることが得られる。その後、表４により、隣接する３番の周波数スペクトルリソースブロックの干渉差分コード値が「０」であることを確認できる。……このように進むと、サブバンド１の干渉過負荷差分コードシリーズが「０１００１１」であり、同じように、サブバンド２の干渉過負荷差分コードシリーズが「１０００００」であることが得られる（ステップＳ５０５）。両者をカスケーディングすれば、シリーズ「０１００１１||１０００００」が得られ、これを１〜１０番の周波数スペクトルリソースブロックの干渉過負荷インジケータのシグナリングとする。ここで、符号「||」は、単にビットのカスケーディングを表すものであり、実際に伝送されるシグナリングにおいては相応する表示は存在しない。そのシグナリングサイズは、（２＋４）×２＝１２ビットである（ステップＳ５１０）。
【０１４８】
該干渉過負荷インジケータを受信した基地局は、まず、表１により、それぞれのサブバンドの参照周波数スペクトルリソースブロックの干渉過負荷レベルを取得し、更に、表５により、それぞれのサブバンド内において、順次に隣接する周波数スペクトルリソースブロックの干渉過負荷レベルをデコーディングして、最終的に、１〜１０番の周波数スペクトルリソースブロックの干渉過負荷レベルを取得する。その結果は、「低、無、無、低、中 − 中、低、無、無、無」である。ここで、５、７番の周波数スペクトルリソースブロックの干渉過負荷レベルには、相対的に小さい誤りが生じている。すなわち、「高」および「無」のそれぞれは、「中」および「低」のそれぞれに誤ってデコーディングされている。これは、差分コーディングは、相対的に大きい変化を追従できないに生じた誤りである。しかし、分段差分コーディングによる方法を用いたため、それぞれのサブバンドの参照周波数スペクトルリソースブロックにおいて干渉過負荷コードに対する補正を行うことができる。従って、この例における誤差は、例５に示す非分段差分コーディングの場合により小さくなる。
【０１４９】
上記のシグナリングの長所は、シグナリングサイズが相対的に小さいことであり、欠点は、干渉過負荷のデコーディングに相対的に小さい誤りが存在することである。
【０１５０】
例８：サブバンドに基づく干渉過負荷差分コードシリーズのシグナリング。
【０１５１】
まず、すべての周波数スペクトルリソースブロックをいくつかのサブバンドに区分する。本発明において、サブバンドの区分の仕方については、具体的な限定を行なわない。すなわち、等しいサイズに区分してもよいし、ばらばらのサイズに区分してもよい。ここで、それぞれのサブバンドの干渉過負荷レベルシリーズを、干渉過負荷レベルのサブシリーズと称する。それぞれのサブバンドにおいて、１つの参照周波数スペクトルリソースブロックを選択し、その干渉過負荷コードを得て、更に、隣接する周波数スペクトルリソースブロックに対して干渉過負荷差分コーディングを行う。差分コーディングの効果は、コーディングのビット数を減らすことにある。すなわち、比較的に少ないビットで隣接する周波数スペクトルリソースブロック間の干渉過負荷レベルの変化量をコーディングすることができる。差分コーディングは、一般的に、差分コーティングテーブルと差分デコーディングテーブルとを利用して実現する。差分コーティングテーブルと差分デコーディングテーブルとにより得られたそれぞれのサブバンドの干渉過負荷差分コードシリーズをカスケーディングして、干渉過負荷インジケータのシグナリングとする（ステップＳ５０５およびＳ５１０）。本実施例は、それぞれのサブバンドの中において、最も低い干渉過負荷レベルを除いた干渉過負荷レベルに対して差分コーディングを行なう、高干渉過負荷のサブバンドの差分コードの実施例とみなすことができる。
【０１５２】
図４に示す干渉過負荷シーンを使用する。該実施例の概略図は、図１２に示すとおりである。表６を干渉過負荷の差分コーティングテーブルとし、表７を干渉過負荷の差分デコーティングテーブルとする。ここで、表６および表７に示す干渉過負荷差分コーディングテーブルと干渉過負荷差分デコーディングテーブルは、差分コーディングの応用の一例にすぎず、実際の応用において、その他の干渉過負荷差分コーディングテーブルと干渉過負荷差分デコーディングテーブルとを用いることができる。すなわち、コーディングテーブルとデコーディングテーブルとにおける値が単一の値であることを満たすならば、本発明は実施可能である（ステップＳ５０５）。
【０１５３】
１〜１０番の周波数スペクトルリソースブロックについて、１〜５番の周波数スペクトルリソースブロックがサブバンド１、６〜１０番の周波数スペクトルリソースブロックがサブバンド２であり、かつ、サブバンドにおいてインデックスナンバーが最小である周波数スペクトルリソースブロックをサブバンドの参照周波数スペクトルリソースブロックであると仮定する（１番の周波数スペクトルリソースブロックがサブバンド１の参照周波数スペクトルリソースブロックであり、６番の周波数スペクトルリソースブロックがサブバンド２の参照周波数スペクトルリソースブロックであり、……）。
【０１５４】
サブバンド１を例とする場合、表２に基づいて、その参照周波数スペクトルリソースブロック（１番の周波数スペクトルリソースブロック）の干渉過負荷コードが１０であり、その後、表６により隣接する２番の周波数スペクトルリソースブロックの干渉の差分コード値が「０」であり、更に、表７により２番の周波数スペクトルリソースブロックにおいてデコーディング可能な干渉過負荷レベルが「低」であることが得られる。その後、表６により、隣接する３番の周波数スペクトルリソースブロックの干渉差分コード値が「０」であることを確認できる。……このように進むと、サブバンド１の干渉過負荷差分コードシリーズが「１０００１１」であり、同じように、サブバンド２の干渉過負荷差分コードシリーズが「１０００００」であることが得られる（ステップＳ５０５）。両者をカスケーディングすれば、シリーズ「１０００１１||１０００００」が得られ、これを１〜１０番の周波数スペクトルリソースブロックの干渉過負荷インジケータのシグナリングとする。ここで、符号「||」は、単にビットのカスケーディングを表すものであり、実際に伝送されるシグナリングにおいては相応する表示は存在しない。そのシグナリングサイズは、（２＋４）×２＝１２ビットである（ステップＳ５１０）。
【０１５５】
該干渉過負荷インジケータを受信した基地局は、まず、表２により、それぞれのサブバンドの参照周波数スペクトルリソースブロックの干渉過負荷レベルを取得し、更に、表７により、それぞれのサブバンド内において、順次に隣接する周波数スペクトルリソースブロックの干渉過負荷レベルをデコーディングして、最終的に、１〜１０番の周波数スペクトルリソースブロックの干渉過負荷レベルを取得する。その結果は、「中、低、低、中、高 − 中、低、低、低、低」である。該結果は、基地局が送信する干渉過負荷レベルと完全に一致し、この実施例において誤りがない。しかし、これは図４に示す干渉過負荷シーンにおいて決して誤りが生じないということを意味しない。同一のサブバンドにおいて、それぞれ「高」および「低」の干渉過負荷レベルを有する２つの隣接する周波数スペクトルリソースブロックがある場合、または、同一のサブバンドにおいて、それぞれ「低」および「高」の干渉過負荷レベルを有する２つの隣接する周波数スペクトルリソースブロックがある場合、誤りは生ずる。
【０１５６】
上記のシグナリングの長所は、シグナリングサイズが相対的に小さいことであり、欠点は、干渉過負荷デコーディングに誤りが存在することである。
【０１５７】
例９：干渉過負荷ビットマップと干渉過負荷コードシリーズとをカスケーディングしたシグナリング。
【０１５８】
相対的に高いレベルの干渉過負荷が生成される周波数スペクトルリソースブロックについて、ビットマップでその位置を表す。つまり、周波数スペクトルリソースブロックの数に対応する長さを有するビットシリーズを用いて、周波数スペクトルリソースブロックとマッピングする。これにより、それぞれの周波数スペクトルリソースブロックは、ビットシリーズの中の１ビットによりマークされる。周波数スペクトルリソースブロックに相対的に高いレベルの干渉過負荷が生成される場合、その相応するビット値は１になり、周波数スペクトルリソースブロックに相対的に高いレベルの干渉過負荷が生成されない場合、その相応するビット値は０になる。次いで、相対的に高いレベルの干渉過負荷を生成する周波数スペクトルリソースブロックに対し、順次に干渉過負荷コードを取得して、干渉過負荷コードシリーズを生成する。その後、該シリーズと干渉過負荷ビットマップとをカスケーディングして、干渉過負荷インジケータのシグナリングとする（ステップＳ５０５およびＳ５１０）。本実施例は、干渉過負荷ビットマップと、全ての干渉過負荷レベルに対してコーディングを行った干渉過負荷コードとをカスケーディングした干渉過負荷ビットマップカスケーディングの実施例とみなすことができる。
【０１５９】
図３に示す干渉過負荷シーンを使用する。該実施例の概略図は、図１３に示すとおりである。「低干渉過負荷レベル」、「中干渉過負荷レベル」、および「高干渉過負荷レベル」が相対的に高いレベルの干渉の過負荷であると判断する場合、１〜１０番の周波数スペクトルリソースブロックの中で相対的に高いレベルの干渉の過負荷を生成する周波数スペクトルリソースブロックは、１、４、５、６番の周波数スペクトルリソースブロックである。
【０１６０】
従って、サイズが１０ビットであるビットシリーズを用いて、１、４、５、６ビットの位置に１を置き、そのほかのビットの位置に０を置くことにより（「１００１１１００００」）、干渉過負荷の周波数スペクトルリソースブロックの位置を表すことができる。相対的に高いレベルの干渉の過負荷を生成する周波数スペクトルリソースブロック（１、４、５、６番の周波数スペクトルリソースブロック）について、表１により順次にその干渉過負荷コードを取得し、干渉過負荷コードシリーズ「０１０１１１１０」を生成する（ステップＳ５０５）。また、これと干渉過負荷ビットマップとをカスケーディングして、最終的に干渉過負荷インジケータのシグナリング「１００１１１００００||０１０１１１１０」を生成する。ここで、符号「||」は、単にビットのカスケーディングを表すものであり、実際に伝送されるシグナリングにおいては相応する表示は存在しない。そのシグナリングサイズは、１０＋８＝１８ビットである（ステップＳ５１０）。
【０１６１】
該干渉過負荷インジケータを受信した基地局は、まず、前の１０ビットを取り出して、干渉過負荷ビットマップとし、また、第１、４、５、６番の位置が１であることから、第１、４、５、６番の周波数スペクトルリソースブロックに干渉過負荷が発生したことを確定する。その後、後の８ビットに対して２ビットごとを１つの干渉過負荷コードに組合せ、表１によりデコーディングを行う。これにより、第１、４、５、６番の周波数スペクトルリソースブロックの干渉過負荷レベルは、この順に、「低、低、高、中」であり、その他の周波数スペクトルリソースブロックにおける干渉過負荷レベルは「無」であると判断され、最終的に、１〜１０番の周波数スペクトルリソースブロックの干渉過負荷レベルが「低、無、無、低、高、中、無、無、無、無」である結果が得られる。該結果は、基地局が送信した干渉過負荷レベルと完全に一致し、誤りがない。
【０１６２】
該シグナリングは、構造が比較的に簡単であり、中規模の量の周波数スペクトルリソースブロックに干渉過負荷が発生した場合のシグナリングサイズが相対的に小さい。その欠点は、大量または少量の周波数スペクトルリソースブロックに干渉過負荷が発生した場合、シグナリングサイズが相対的に大きいことである。ここで、一段階の干渉過負荷を利用する場合（「干渉過負荷レベル有り」および「干渉過負荷レベル無し」のみが存在する場合）、本発明では、干渉過負荷ビットマップのみがあれば干渉過負荷インジケータのシグナリングを生成することができ、干渉過負荷コードシリーズを送信する必要はない。
【０１６３】
例１０：干渉過負荷ビットマップと干渉過負荷コードシリーズとをカスケーディングしたシグナリング。
【０１６４】
相対的に高いレベルの干渉過負荷が生成される周波数スペクトルリソースブロックについて、ビットマップでその位置を表す。つまり、周波数スペクトルリソースブロックの数に対応する長さを有するビットシリーズを用いて、周波数スペクトルリソースブロックとマッピングする。これにより、それぞれの周波数スペクトルリソースブロックは、ビットシリーズの中の１ビットによりマークされる。周波数スペクトルリソースブロックに相対的に高いレベルの干渉過負荷が生成する場合、その相応するビット値は１になり、周波数スペクトルリソースブロックに相対的に高いレベルの干渉過負荷が生成しない場合、その相応するビット値は０になる。次いで、相対的に高いレベルの干渉過負荷を発生する周波数スペクトルリソースブロックに対し、順次に干渉過負荷コードを取得して、干渉過負荷コードシリーズを生成する。その後、該シリーズと干渉過負荷ビットマップとをカスケーディングして、干渉過負荷インジケータのシグナリングとする（ステップＳ５０５およびＳ５１０）。本実施例は、干渉過負荷ビットマップと、最も低い干渉過負荷レベルを除いた干渉過負荷レベルのみに対してコーディングした高干渉過負荷コードとをカスケーディングした干渉過負荷ビットマップカスケーディングの実施例とみなすことができる。
【０１６５】
図４に示す干渉過負荷シーンを使用する。該実施例の概略図は、図１４に示すとおりである。「中干渉過負荷レベル」および「高干渉過負荷レベル」が相対的に高いレベルの干渉の過負荷であると判断する場合、１〜１０番の周波数スペクトルリソースブロックの中で相対的に高いレベルの干渉の過負荷を生成する周波数スペクトルリソースブロックは、１、４、５、６番の周波数スペクトルリソースブロックである。
【０１６６】
従って、サイズが１０ビットであるビットシリーズを用いて、その１、４、５、６ビットの位置に１を置き、残りのビットに０を置くことにより（「１００１１１００００」）、干渉過負荷の周波数スペクトルリソースブロックの位置を表すことができる。相対的に高いレベルの干渉の過負荷を生成する周波数スペクトルリソースブロック（１、４、５、６番の周波数スペクトルリソースブロック）について、表３により順次にその干渉過負荷コードを取得し、干渉過負荷コードシリーズ「００１０」を生成する（ステップＳ５０５）。また、これと干渉過負荷ビットマップとをカスケーディングして、最終的に干渉過負荷インジケータのシグナリング「１００１１１００００||００１０」を構成する。ここで、符号「||」は、単にビットのカスケーディングを表すものであり、実際に伝送されるシグナリングにおいては相応する表示は存在しない。そのシグナリングサイズは、１０＋４＝１４ビットである（ステップＳ５１０）。
【０１６７】
該干渉過負荷インジケータを受信した基地局は、まず、前の１０ビットを取り出して、干渉過負荷ビットマップとし、また、第１、４、５、６番の位置が１であることから、第１、４、５、６番の周波数スペクトルリソースブロックに干渉過負荷が発生したことを確定する。その後、後の４ビットを、１ビットを１つの干渉過負荷コードとし、表３によりデコーディングを行う。これにより、第１、４、５、６番の周波数スペクトルリソースブロックの干渉過負荷レベルは、この順に「中、中、高、中」であり、その他の周波数スペクトルリソースブロックにおける干渉過負荷レベルは「低」であると判断され、最終的に、１〜１０番の周波数スペクトルリソースブロックの干渉過負荷レベルが「中、低、低、中、高、中、低、低、低、低」である結果が得られる。該結果は、基地局が送信した干渉過負荷レベルと完全に一致し、誤りがない。
【０１６８】
該シグナリングは、構造が比較的に簡単であり、中規模の量の周波数スペクトルリソースブロックに干渉過負荷が発生した場合のシグナリングサイズが相対的に小さい。その欠点は、大量または少量の周波数スペクトルリソースブロックに干渉過負荷が発生した場合、シグナリングサイズが相対的に大きいことである。ここで、一段階の干渉過負荷を利用する場合（「干渉過負荷レベル有り」および「干渉過負荷レベル無し」のみが存在する場合）、本発明は、干渉過負荷ビットマップのみがあれば、干渉過負荷インジケータのシグナリングを生成することができ、干渉過負荷コードシリーズを送信する必要はない。
【０１６９】
例１１：干渉過負荷ビットマップと干渉過負荷差分コードシリーズとをカスケーディングしたシグナリング。
【０１７０】
相対的に高いレベルの干渉過負荷が生成される周波数スペクトルリソースブロックについて、ビットマップでその位置を表す。つまり、周波数スペクトルリソースブロックの数に対応する長さを有するビットシリーズを用いて、周波数スペクトルリソースブロックとマッピングする。これにより、それぞれの周波数スペクトルリソースブロックは、ビットシリーズの中の１ビットによりマークされる。周波数スペクトルリソースブロックに相対的に高いレベルの干渉過負荷が生成する場合、その相応するビット値は１になり、周波数スペクトルリソースブロックに相対的に高いレベルの干渉過負荷が生成しない場合、その相応するビット値は０になる。次いで、相対的に高いレベルの干渉過負荷を発生する周波数スペクトルリソースブロックに対して干渉過負荷差分コーディングを行う。１つの参照周波数スペクトルリソースブロックを選択して、その干渉過負荷コードを得て、更に、相対的に高いレベルの干渉過負荷が発生しかつ隣接する周波数スペクトルリソースブロックに対して干渉過負荷差分コーディングを行う。本実施例は、干渉過負荷ビットマップと、全ての干渉過負荷レベルに対して差分コーディングを行った干渉過負荷差分コードとをカスケーディングした干渉過負荷ビットマップカスケーディングの実施例とみなすことができる。
【０１７１】
差分コーディングの効果は、コーディングのビット数を減らすことにある。すなわち、比較的に少ないビットで隣接する周波数スペクトルリソースブロック間の干渉過負荷レベルの変化量をコーディングすることができる。差分コーディングは、一般的に、差分コーティングテーブルと差分デコーディングテーブルとを利用して実現する。差分コーティングテーブルと差分デコーディングテーブルとにより得られた干渉過負荷差分コードシリーズをカスケーディングして、干渉過負荷インジケータのシグナリングとする（ステップＳ５０５およびＳ５１０）。
【０１７２】
図３に示す干渉過負荷シーンを使用する。該実施例の概略図は、図１５に示すとおりである。まず、表８を干渉過負荷の差分コーティングテーブルとし、行索引は、現在デコーディング可能な干渉過負荷レベルを意味し、列索引は、次にデコーディングしようとする干渉過負荷レベルを意味する。該表における数値は、行索引の条件と列索引の条件とを満たす差分コード値である。表８は、表４と少し異なる。それは、相対的に高いレベルの干渉過負荷を発生する周波数スペクトルリソースブロックは、少なくとも低干渉過負荷の周波数スペクトルリソースブロックであるからである。従って、表４中の「無干渉過負荷」がある行および列を削除して、表８が得られる。
【０１７３】
【表８】
2010141934.tif 000014
【０１７４】
ここで、現在デコーディング可能な干渉過負荷レベルは、差分デコーディングテーブルによって取得する。表９は干渉過負荷の差分コーティングテーブルであるが、行索引は、その前にデコーディングした干渉過負荷レベルを意味し、列索引は、干渉過負荷差分コードを意味する。該表における数値は、現在デコーディング可能な干渉過負荷レベルである。表９は、表５と少し異なる。それは、相対的に高いレベルの干渉過負荷を発生する周波数スペクトルリソースブロックは、少なくとも低干渉過負荷の周波数スペクトルリソースブロックであるからである。従って、表５中の「無干渉過負荷」がある行および列を削除して、表９が得られる。
【０１７５】
【表９】
2010141934.tif 000015
【０１７６】
ここで、表８および表９に示す干渉過負荷差分コーディングテーブルと干渉過負荷差分デコーディングテーブルとは、差分コーディングの応用の一例にすぎず、実際の応用において、その他の干渉過負荷差分コーディングテーブルと干渉過負荷差分デコーディングテーブルとを用いることができる。すなわち、コーディングテーブルとデコーディングテーブルとにおける値が単一の値であることを満たすならば、本発明は実施可能である（ステップＳ５０５）。
【０１７７】
１〜１０番の周波数スペクトルリソースブロックについて、相対的に高いレベルの干渉の過負荷を生成する周波数スペクトルリソースブロックは、１、４、５、６番の周波数スペクトルリソースブロックである。従って、サイズが１０ビットであるビットシリーズを用いて、その１、４、５、６ビットの位置に１を置き、残りのビットに０を置くことにより（「１００１１１００００」）、干渉過負荷の周波数スペクトルリソースブロックの位置を表すことができる。
【０１７８】
１、４、５、６番の周波数スペクトルリソースブロックについて、１番の周波数スペクトルリソースブロックを参照周波数スペクトルリソースブロックとして選択し（ここで、１番の周波数スペクトルリソースブロックを選択するのは１つの例にすぎず、事実上、任意に周波数スペクトルリソースブロックを選択して参照周波数スペクトルリソースブロックとすることができる）、表１に基づいて、その干渉過負荷コードが０１であることを確認し、更に表８により、隣接する４番の干渉差分コード値が「０」であることを確認できる。その後、表９により、４番の周波数スペクトルリソースブロックにおけるデコーディング可能な干渉過負荷レベルは「低」である。従って、表８により、隣接する５番の周波数スペクトルリソースブロックの干渉差分コード値が「１」であることを確認できる。……このように進むと、干渉過負荷差分コードシリーズ「０１０１０」が得られ、該シリーズと干渉過負荷ビットマップとをカスケーディングして１、４、５、６番の周波数スペクトルリソースブロックの干渉過負荷インジケータのシグナリングとすることができる。
【０１７９】
従って、最終的に生成される干渉過負荷インジケータのシグナリングは、「１００１１１００００||０１０１０」である。ここで、符号「||」は、単にビットのカスケーディングを表すものであり、実際に伝送されるシグナリングにおいては相応する表示は存在しない。そのシグナリングサイズは、１０＋５＝１５ビットである。
【０１８０】
該干渉過負荷インジケータを受信した基地局は、まず、前の１０ビットを取り出して、干渉過負荷ビットマップとし、また、第１、４、５、６番の位置が１であることから、第１、４、５、６番の周波数スペクトルリソースブロックに干渉過負荷が発生したことを確定する。その後、次いで、表１により、参照周波数スペクトルリソースブロック（１番の周波数スペクトルリソースブロック）の干渉過負荷レベルが「低」であることを確認し、更に、表９により、順次に隣接する周波数スペクトルリソースブロックの干渉過負荷レベルをデコーディングして、１、４、５、６番の周波数スペクトルリソースブロックの干渉過負荷レベルを取得する。その結果は、順に「低、低、中、低」である。その他の周波数スペクトルリソースブロックにおける干渉過負荷が発生しなかったため、干渉過負荷レベルは「無」である。最終的に、１〜１０番の周波数スペクトルリソースブロックの干渉過負荷レベルを取得する。その結果は、「低、無、無、低、中、低、無、無、無、無」である。ここで、５、６番の周波数スペクトルリソースブロックの干渉過負荷レベルには、相対的に小さい誤りが生じている。すなわち、「高」および「中」のそれぞれは、「中」および「低」のそれぞれに誤ってデコーディングされている。
【０１８１】
該シグナリングは、中規模の量の周波数スペクトルリソースブロックに干渉過負荷が発生した場合のシグナリングサイズが相対的に小さい。その欠点は、大量または少量の周波数スペクトルリソースブロックに干渉過負荷が発生した場合、シグナリングサイズが相対的に大きく、かつ、干渉過負荷のデコーディングに誤差が生じることである。ここで、一段階の干渉過負荷を利用する場合（「干渉過負荷レベル有り」および「干渉過負荷レベル無し」のみが存在する場合）、本発明は、干渉過負荷ビットマップのみがあれば、干渉過負荷インジケータのシグナリングを生成することができ、干渉過負荷コードシリーズを送信する必要はない。
【０１８２】
例１２：システム帯域幅における干渉過負荷コードと周波数スペクトルリソースブロックの干渉の強度のビットマップをカスケーディングしたシグナリング。
【０１８３】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。該ビットマップとシステム帯域幅における干渉過負荷コードとカスケーディングして、干渉過負荷インジケータのシグナリングとする。上記システム帯域幅における干渉の状況は、システム帯域幅における干渉過負荷レベル、または、システム帯域幅における干渉の出力密度値、または、システム帯域幅における干渉雑音比、または、システム帯域幅における干渉の出力密度の平均値、または、システム帯域幅における平均干渉雑音比、または、システム帯域幅における干渉の状況を表示可能な他の値である（ステップＳ５０５およびＳ５１０）。本実施例は、干渉過負荷のシステム平均のコードと、干渉の強度のビットマップとをカスケーディングした実施例とみなすことができる。
【０１８４】
図３に示す干渉過負荷シーンを使用する。該実施例の概略図は、図１６に示すとおりである。システム帯域幅における干渉雑音比を、システム帯域幅における干渉の状況を図る量とする。まず、基地局は、システムの帯域幅（９６個の周波数スペクトルリソースブロック）における干渉雑音比ＫＡを算出する。例えば、それが「低干渉過負荷」のエリアに位置されている場合、表１により得られるシステム帯域幅における干渉過負荷コードは「０１」である。その後、それぞれの周波数スペクトルリソースブロックの干渉雑音比をＫＡと比較して、４、５、６番の周波数スペクトルリソースブロックの干渉雑音比がＫＡより大きいことを確認する。従って、生成される周波数スペクトルリソースブロックの干渉の強度のビットマップは、「０００１１１００００」である。該ビットマップとシステム帯域幅における干渉過負荷コードとをカスケーディングして、１〜１０番の周波数スペクトルリソースブロックの干渉過負荷インジケータのシグナリングを取得すると、「０１||０００１１１００００」である。ここで、符号「||」は、単にビットのカスケーディングを表すものであり、実際に伝送されるシグナリングにおいては相応する表示は存在しない。そのシグナリングサイズは、２＋１０＝１２ビットである。
【０１８５】
該干渉過負荷インジケータを受信した基地局は、まず、前の２ビットを取り出して、表１によって、システム帯域幅における干渉過負荷レベルを得ると、「低」である。これにより、干渉過負荷の全体の状況を把握することができる。その後、後の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。基地局が干渉過負荷インジケータに対するデコーディングは、ここまで行うこともできるが、更に表１０によって具体的な干渉過負荷レベルをデコーディングすることもできる。その結果は、１〜１０番の周波数スペクトルリソースブロックの干渉過負荷レベルが「無、無、無、中、中、中、無、無、無、無」である。
【０１８６】
【表１０】
2010141934.tif 000016
【０１８７】
ここで、表１０は、干渉過負荷デコーディングテーブルの一例にすぎず、行索引は、システム帯域幅における干渉過負荷レベルを意味し、列索引は、周波数スペクトルリソースブロックの干渉の強度のビットを意味する。該表における数値は、デコーディング後の干渉過負荷レベルである。なお、表１０に示す干渉過負荷デコーディングテーブルは一例にすぎず、実際の応用において、その他の干渉過負荷デコーディングテーブルを用いることができる。すなわち、デコーディングテーブルにおける値が単一の値であることを満たすならば、本発明は実施可能である（ステップＳ５０５）。
【０１８８】
干渉過負荷デコーディングの結果によると、１、４、５番の周波数スペクトルリソースブロックの干渉過負荷レベルに相対的に小さい誤りに発生し、「低」、「低」、および「高」ののそれぞれから、「無」、「中」、および「中」のそれぞれに誤ってデコーディングされている。これは、干渉の強度のビットマップが多段の干渉過負荷を区別できないために生じた誤りである。
【０１８９】
上記のシグナリングの長所は、シグナリングサイズが相対的に小さいこと、および干渉過負荷の状況が全体的に把握できることであり、欠点は、それぞれの周波数スペクトルリソースブロックにおける具体的な干渉過負荷の状況が正確でないことである。
【０１９０】
例１３：システム帯域幅における干渉過負荷コードおよび周波数スペクトルリソースブロックの干渉の強度のビットマップとをカスケーディングしたシグナリング。
【０１９１】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。該ビットマップとシステム帯域幅における干渉過負荷コードとカスケーディングして、干渉過負荷インジケータのシグナリングとする。上記システム帯域幅における干渉の状況は、システム帯域幅における干渉過負荷レベル、または、システム帯域幅における干渉の出力密度値、または、システム帯域幅における干渉雑音比、または、システム帯域幅における干渉の出力密度の平均値、または、システム帯域幅における平均干渉雑音比、または、システム帯域幅における干渉の状況を表示可能な他の値である（ステップＳ５０５およびＳ５１０）。本実施例は、干渉過負荷のシステム平均のコードと、干渉の強度のビットマップとをカスケーディングした実施例とみなすことができる。
【０１９２】
図４に示す干渉過負荷シーンを使用する。該実施例の概略図は、図１７に示すとおりである。システム帯域幅における干渉雑音比を、システム帯域幅における干渉の状況を図る量とする。まず、基地局は、システムの帯域幅（９６個の周波数スペクトルリソースブロック）における干渉雑音比ＫＡを算出する。例えば、それが「低干渉過負荷」のエリアに位置されている場合、表２により得られるシステム帯域幅における干渉過負荷コードは「０１」である。その後、それぞれの周波数スペクトルリソースブロックの干渉雑音比をＫＡと比較して、４、５、６番の周波数スペクトルリソースブロックの干渉雑音比がＫＡより大きいことを確認する。従って、生成される周波数スペクトルリソースブロックの干渉の強度のビットマップは、「０００１１１００００」である。該ビットマップとシステム帯域幅における干渉過負荷コードとをカスケーディングして、１〜１０番の周波数スペクトルリソースブロックの干渉過負荷インジケータのシグナリングを取得すると、「０１||０００１１１００００」である。ここで、符号「||」は、単にビットのカスケーディングを表すものであり、実際に伝送されるシグナリングにおいては相応する表示は存在しない。そのシグナリングサイズは、２＋１０＝１２ビットである。
【０１９３】
該干渉過負荷インジケータを受信した基地局は、まず、前の２ビットを取り出して、表２によって、システム帯域幅における干渉過負荷レベルを得ると、「低」である。これにより、干渉過負荷の全体の状況を把握することができる。その後、後の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。基地局が干渉過負荷インジケータに対するデコーディングは、ここまで行うこともできるが、更に表１１によって具体的な干渉過負荷レベルをデコーディングすることもできる。その結果は、１〜１０番の周波数スペクトルリソースブロックの干渉過負荷レベルが「低、低、低、中、中、中、低、低、低、低」である。
【０１９４】
【表１１】
2010141934.tif 000017
【０１９５】
ここで、表１１は、干渉過負荷デコーディングテーブルの一例にすぎず、行索引は、システム帯域幅における干渉過負荷レベルを意味し、列索引は、周波数スペクトルリソースブロックの干渉の強度のビットを意味する。該表における数値は、デコーディング後の干渉過負荷レベルである。なお、表１１に示す干渉過負荷デコーディングテーブルは一例にすぎず、実際の応用において、その他の干渉過負荷デコーディングテーブルを用いることができる。すなわち、デコーディングテーブルにおける値が単一の値であることを満たすならば、本発明は実施可能である（ステップＳ５０５）。
【０１９６】
干渉過負荷デコーディングの結果によると、１および５番の周波数スペクトルリソースブロックの干渉過負荷レベルに相対的に小さい誤りに発生し、「中」および「高」のそれぞれから、「低」および「中」のそれぞれに誤ってデコーディングされている。これは、干渉の強度のビットマップが多段の干渉過負荷を区別できないために生じた誤りである。
【０１９７】
上記のシグナリングの長所は、シグナリングサイズが相対的に小さいこと、および干渉過負荷の状況が全体的に把握できることであり、欠点は、それぞれの周波数スペクトルリソースブロックにおける具体的な干渉過負荷の状況が正確でないことである。
【０１９８】
例１４：システム帯域幅における干渉過負荷コードと、周波数スペクトルリソースブロックの干渉強度のビットマップと、干渉が相対的に大きい周波数スペクトルリソースブロックの干渉過負荷コードシリーズとをカスケーディングしたシグナリング。
【０１９９】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。受ける干渉が相対的に大きい周波数スペクトルリソースブロック（ビットマップの中で１に対応する周波数スペクトルリソースブロック）に対して、その干渉過負荷コードを得て、順次に干渉過負荷コードシリーズを構成する。該干渉過負荷コードシリーズを、周波数スペクトルリソースブロックの干渉強度のビットマップとカスケーディングし、更に、システム帯域幅における干渉過負荷コードとカスケーディングして、干渉過負荷インジケータのシグナリングとする（ステップＳ５０５およびＳ５１０）。本実施例は、干渉過負荷のシステム平均のコードと、干渉の強度のビットマップと、干渉過負荷コードとをカスケーディングした実施例とみなすことができる。ここでは、干渉が相対的に高い全ての過負荷レベルに対してコーディングを行なう干渉過負荷コードの実施例が記載されている。
【０２００】
図３に示す干渉過負荷シーンを使用する。該実施例の概略図は、図１８に示すとおりである。システム帯域幅における干渉雑音比を、システム帯域幅における干渉の状況を図る量とする。まず、基地局は、システムの帯域幅（９６個の周波数スペクトルリソースブロック）における干渉雑音比ＫＡを算出する。例えば、それが「低干渉過負荷」のエリアに位置されている場合、表１により得られるシステム帯域幅における干渉過負荷コードは「０１」である。その後、それぞれの周波数スペクトルリソースブロックの干渉雑音比をＫＡと比較して、４、５、６番の周波数スペクトルリソースブロックの干渉雑音比がＫＡより大きいことを確認する。従って、生成される周波数スペクトルリソースブロックの干渉の強度のビットマップは、「０００１１１００００」である。
【０２０１】
ビットマップの中で１に対応する周波数スペクトルリソースブロック（第４、５、６番の周波数スペクトルリソースブロック）について、表１によって、それぞれその干渉過負荷コードを得て、順次に干渉過負荷コードシリーズ「０１１１１０」を構成する（ステップＳ５０５）。該シリーズを周波数スペクトルリソースブロックの干渉強度のビットマップとカスケーディングし、更に、システム帯域幅における干渉過負荷コードとカスケーディングして、１〜１０番の周波数スペクトルリソースブロックの干渉過負荷インジケータのシグナリング「０１||０００１１１００００||０１１１１０」を得ることができる。ここで、符号「||」は、単にビットのカスケーディングを表すものであり、実際に伝送されるシグナリングにおいては相応する表示は存在しない。そのシグナリングサイズは、２＋１０＋６＝１８ビットである（ステップＳ５１０）。
【０２０２】
該干渉過負荷インジケータを受信した基地局は、まず、前の２ビットを取り出し、表１によって、システム帯域幅における干渉過負荷レベルを得ると、「低」である。これにより、干渉過負荷の全体の状況を把握することができる。その後、中の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。
【０２０３】
最後に、後の６ビットから、表１により、第４、５、６番の周波数スペクトルリソースブロックの干渉過負荷レベルはそれぞれ「低」、「高」、「中」であり、その他の周波数スペクトルリソースブロックの干渉過負荷レベルは、「無」と判断する。従って、表１０によってデコーディングを行うと、最後の１〜１０番の周波数スペクトルリソースブロックの干渉過負荷レベルは、「無、無、無、低、高、中、無、無、無、無」である。ここで、１番の周波数スペクトルリソースブロックの干渉過負荷レベルには、相対的に小さい誤りが発生している。すなわち、「低」から「無」に誤ってデコーディングしている。これは、干渉強度ビットマップが多段の干渉の過負荷を区別することができないことにより生じた誤りである。
【０２０４】
上記のシグナリングの長所は、シグナリングサイズが相対的に小さいこと、および干渉過負荷の状況が全体的に把握できることであり、欠点は、それぞれの周波数スペクトルリソースブロックにおける具体的な干渉過負荷の状況が正確でないことである。ここで、一段階の干渉過負荷を利用する場合（「干渉過負荷レベル有り」および「干渉過負荷レベル無し」のみが存在する場合）、本発明は、周波数スペクトルリソースブロックの干渉強度ビットマップとシステム帯域幅における干渉過負荷コードとをカスケーディングすることのみで、干渉過負荷インジケータのシグナリングを構成することができる。該シグナリングの情報量は、干渉過負荷の状況を表示するに十分であり、干渉過負荷コードシリーズを送信する必要はない。
【０２０５】
例１５：システム帯域幅における干渉過負荷コードと、周波数スペクトルリソースブロックの干渉強度のビットマップと、干渉が相対的に大きい周波数スペクトルリソースブロックの干渉過負荷コードシリーズとをカスケーディングしたシグナリング。
【０２０６】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。受ける干渉が相対的に大きい周波数スペクトルリソースブロック（ビットマップの中で１に対応する周波数スペクトルリソースブロック）に対して、その干渉過負荷コードを得て、順次に干渉過負荷コードシリーズを構成する。該干渉過負荷コードシリーズを、周波数スペクトルリソースブロックの干渉強度のビットマップとカスケーディングし、更に、システム帯域幅における干渉過負荷コードとカスケーディングして、干渉過負荷インジケータのシグナリングとする（ステップＳ５０５およびＳ５１０）。本実施例は、干渉過負荷のシステム平均のコードと、干渉の強度のビットマップと、干渉過負荷コードとをカスケーディングした実施例とみなすことができる。ここでは、干渉が相対的に高く、かつ最も低い干渉過負荷レベルを除いた干渉過負荷レベルに対してコーディングを行なう高干渉過負荷コードの実施例が記載されている。
【０２０７】
図４に示す干渉過負荷シーンを使用する。該実施例の概略図は、図１９に示すとおりである。システム帯域幅における干渉雑音比を、システム帯域幅における干渉の状況を図る量とする。まず、基地局は、システムの帯域幅（９６個の周波数スペクトルリソースブロック）における干渉雑音比ＫＡを算出する。例えば、それが「低干渉過負荷」のエリアに位置されている場合、表２により得られるシステム帯域幅における干渉過負荷コードは「０１」である。その後、それぞれの周波数スペクトルリソースブロックの干渉雑音比をＫＡと比較して、４、５、６番の周波数スペクトルリソースブロックの干渉雑音比がＫＡより大きいことを確認する。従って、生成される周波数スペクトルリソースブロックの干渉の強度のビットマップは、「０００１１１００００」である。
【０２０８】
ビットマップの中で１に対応する周波数スペクトルリソースブロック（第４、５、６番の周波数スペクトルリソースブロック）について、表１によって、それぞれその干渉過負荷コードを得て、順次に干渉過負荷コードシリーズ「０１１１１０」を構成する（ステップＳ５０５）。該シリーズを周波数スペクトルリソースブロックの干渉強度のビットマップとカスケーディングし、更に、システム帯域幅における干渉過負荷コードとカスケーディングして、１〜１０番の周波数スペクトルリソースブロックの干渉過負荷インジケータのシグナリング「０１||０００１１１００００||０１１１１０」を得ることができる。ここで、符号「||」は、単にビットのカスケーディングを表すものであり、実際に伝送されるシグナリングにおいては相応する表示は存在しない。そのシグナリングサイズは、２＋１０＋６＝１８ビットである（ステップＳ５１０）。
【０２０９】
該干渉過負荷インジケータを受信した基地局は、まず、前の２ビットを取り出し、表１によって、システム帯域幅における干渉過負荷レベルを得ると、「低」である。これにより、干渉過負荷の全体の状況を把握することができる。その後、中の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。最後に、後の６ビットから、表１により、第４、５、６番の周波数スペクトルリソースブロックの干渉過負荷レベルはそれぞれ「中」、「高」、「中」であり、その他の周波数スペクトルリソースブロックの干渉過負荷レベルは、「低」と判断する。従って、表１０によってデコーディングを行うと、最後の１〜１０番の周波数スペクトルリソースブロックの干渉過負荷レベルは、「低、低、低、中、高、中、低、低、低、低」である。ここで、１番の周波数スペクトルリソースブロックの干渉過負荷レベルには、相対的に小さい誤りが発生している。すなわち、「中」から「低」に誤ってデコーディングしている。これは、干渉強度ビットマップが多段の干渉の過負荷を区別することができないことから生じた誤りである。
【０２１０】
上記のシグナリングの長所は、シグナリングサイズが相対的に小さいこと、および干渉過負荷の状況が全体的に把握できることである。ここで、一段階の干渉過負荷を利用する場合（「干渉過負荷レベル有り」および「干渉過負荷レベル無し」のみが存在する場合）、本発明は、周波数スペクトルリソースブロックの干渉強度ビットマップとシステム帯域幅における干渉過負荷コードとをカスケーディングすることのみで、干渉過負荷インジケータのシグナリングを構成することができる。該シグナリングの情報量は、干渉過負荷の状況を表示するに十分であり、干渉過負荷コードシリーズを送信する必要はない。
【０２１１】
例１６：システム帯域幅における干渉過負荷コードと、周波数スペクトルリソースブロックの干渉強度ビットマップと、干渉の相対的に大きい周波数スペクトルリソースブロックの干渉過負荷差分コードシリーズとをカスケーディングしたシグナリング。
【０２１２】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。本実施例は、干渉過負荷のシステム平均のコードと、干渉の強度のビットマップと、干渉過負荷差分コードとをカスケーディングした実施例とみなすことができる。ここでは、干渉が相対的に高い全ての干渉過負荷レベルに対して差分コーディングを行なう実施例が記載されている。
【０２１３】
受ける干渉が相対的に大きい周波数スペクトルリソースブロック（ビットマップの中で１に対応する周波数スペクトルリソースブロック）に対して、干渉過負荷差分コードを利用し、システム帯域幅における干渉過負荷レベルを差分参考値とし、干渉の相対的に大きい周波数スペクトルリソースブロックの干渉過負荷レベルを該差分参考値の差分コードとする。差分コーディングの効果は、コードのビット数を減らすことにある。すなわち、比較的に少ないビットを用いて、周波数スペクトルリソースブロックの干渉過負荷レベルと差分参考値の変化量をコーディングすることができる。差分コーディングは、一般的に差分コーティングテーブルと差分デコーディングテーブルとを利用して実現する。差分コーティングテーブルと差分デコーディングテーブルとに基づいて取得した干渉過負荷差分コードシリーズと周波数スペクトルリソースブロックの干渉強度ビットマップをカスケーディングし、更に、システム帯域幅における干渉過負荷コードとカスケーディングして、干渉過負荷インジケータのシグナリングとする（ステップＳ５０５およびＳ５１０）。
【０２１４】
図３に示す干渉過負荷シーンを使用する。該実施例の概略図は、図２０に示すとおりである。まず、表１２を干渉過負荷差分コーディングテーブルとし、行索引は、システム帯域幅における干渉過負荷レベルを意味し、列索引は、デコーディング待ちの干渉過負荷レベルを意味する。表中の値は、行索引条件と列索引条件の差分コード値を満たす。また、受ける干渉の相対的に大きい周波数スペクトルリソースブロックのみに対して差分コーディングを行うため、デコーディング待ちの干渉過負荷レベルは、システム帯域幅における干渉過負荷レベルより大きいかまたは等しい。従って、表１２中は「空」という値がある。
【０２１５】
【表１２】
2010141934.tif 000018
【０２１６】
表１２は、干渉過負荷差分デコーディングテーブルに対応する。表１３は、干渉過負荷差分デコーディングテーブルの一例であり、行索引は、システム帯域幅における干渉過負荷レベルを意味し、列索引は、干渉過負荷差分コードを意味し、表中の値は、デコーディングされた干渉過負荷レベルを意味する。
【０２１７】
【表１３】
2010141934.tif 000019
【０２１８】
ここで、表１２および表１３に示す干渉過負荷差分コーディングテーブルと干渉過負荷差分デコーディングテーブルとは、差分コーディングの応用の一例にすぎず、実際の応用において、その他の干渉過負荷差分コーディングテーブルと干渉過負荷差分デコーディングテーブルとを用いることができる。すなわち、コーディングテーブルとデコーディングテーブルとにおける値が単一の値であることを満たすならば、本発明は実施可能である（ステップＳ５０５）。
【０２１９】
まず、基地局は、システムの帯域幅（９６個の周波数スペクトルリソースブロック）における干渉雑音比ＫＡを算出する。例えば、それが「低干渉過負荷」のエリアに位置されている場合、表１により得られるシステム帯域幅における干渉過負荷コードは「０１」である。その後、それぞれの周波数スペクトルリソースブロックの干渉雑音比をＫＡと比較し、比較結果に基づいて生成された周波数スペクトルリソースブロックの干渉強度ビットマップは、「０００１１１００００」である。ビットマップの中で１に対応する周波数スペクトルリソースブロック（第４、５、６番の周波数スペクトルリソースブロック）について、システム帯域幅における干渉過負荷レベルが「低」であること、および表１２に基づいて、干渉過負荷差分コードシリーズ「０１１」が得られる（ステップＳ５０５）。
【０２２０】
該干渉過負荷差分コードシリーズと、周波数スペクトルリソースブロックの干渉強度ビットマップをカスケーディングし、更に、システム帯域幅における干渉過負荷コードとカスケーディングすると、得られる１〜１０番の周波数スペクトルリソースブロックの干渉過負荷インジケータのシグナリングは「０１||０００１１１００００||０１１」である。ここで、符号「||」は、単にビットのカスケーディングを表すものであり、実際に伝送されるシグナリングにおいては相応する表示は存在しない。そのシグナリングサイズは、２＋１０＋３＝１５ビットである（ステップＳ５１０）。
【０２２１】
該干渉過負荷インジケータを受信した基地局は、まず、前の２ビットを取り出し、表１によって、システム帯域幅における干渉過負荷レベルを得ると、「低」である。これにより、干渉過負荷の全体の状況を把握することができる。その後、中の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。最後に、後の３ビットから、表１３により、第４、５、６番の周波数スペクトルリソースブロックの干渉過負荷レベルはそれぞれ「低」、「中」、「中」であり、その他の周波数スペクトルリソースブロックの干渉過負荷レベルは、「無」と判断する。従って、表１０によってデコーディングを行うと、最後の１〜１０番の周波数スペクトルリソースブロックの干渉過負荷レベルは、「無、無、無、低、中、中、無、無、無、無」である。ここで、１、５番の周波数スペクトルリソースブロックの干渉過負荷レベルには、相対的に小さい誤りが発生している。すなわち、「低」、「高」から「無」、「中」に誤ってデコーディングされている。これは、干渉強度ビットマップが多段の干渉の過負荷を区別することができないことから生じた誤りである。
【０２２２】
上記のシグナリングの長所は、シグナリングサイズが相対的に小さいこと、および干渉過負荷の状況が全体的に把握できることであり、欠点は、干渉過負荷デコーディングに誤差が生ずる問題が存在することである。ここで、一段階の干渉過負荷を利用する場合（「干渉過負荷レベル有り」および「干渉過負荷レベル無し」のみが存在する場合）、本発明は、周波数スペクトルリソースブロックの干渉強度ビットマップとシステム帯域幅における干渉過負荷コードとをカスケーディングすることのみで、干渉過負荷インジケータのシグナリングを構成することができる。該シグナリングの情報量は、干渉過負荷の状況を表示するに十分であり、干渉過負荷コードシリーズを送信する必要はない。
【０２２３】
例１７：システム帯域幅における干渉過負荷コードと、周波数スペクトルリソースブロックの干渉強度ビットマップと、干渉の相対的に大きい周波数スペクトルリソースブロックの干渉過負荷差分コードシリーズとをカスケーディングしたシグナリング。
【０２２４】
まず、基地局は、システム帯域幅における干渉過負荷レベルを計算し、相応するシステム帯域幅における干渉過負荷コードを得る。更に、システム帯域幅における干渉の状況を新しいしきい値ＫＡと設定する。その後、それぞれの周波数スペクトルリソースブロックの干渉の状況を該しきい値ＫＡと比較し、その比較結果をビットマップの方式で表示する。つまり、長さが周波数スペクトルリソースブロックの数と同様であるビットシリーズを構成する。それぞれのビットは、１つの周波数スペクトルリソースブロックに対応する。周波数スペクトルリソースブロックの干渉の状況がＫＡを上回る場合のビットは、１であり、そうでない場合のビットは、０である。これにより、周波数スペクトルリソースブロックの干渉の強度のビットマップが生成される。本実施例は、干渉過負荷のシステム平均のコードと、干渉の強度のビットマップと、干渉過負荷コードとをカスケーディングした実施例とみなすことができる。ここでは、干渉が相対的に高く、かつ最も低い干渉過負荷レベルを除いた干渉過負荷レベルに対して差分コーディングを行なう実施例が記載されている。
【０２２５】
受ける干渉が相対的に大きい周波数スペクトルリソースブロック（ビットマップの中で１に対応する周波数スペクトルリソースブロック）に対して、干渉過負荷差分コードを利用し、システム帯域幅における干渉過負荷レベルを差分参考値とし、干渉の相対的に大きい周波数スペクトルリソースブロックの干渉過負荷レベルを該差分参考値の差分コードとする。差分コーディングの効果は、コードのビット数を減らすことにあり、すなわち、比較的に少ないビットを用いて、周波数スペクトルリソースブロックの干渉過負荷レベルと差分参考値の変化量をコーディングすることができる。差分コーディングは、一般的に、差分コーティングテーブルと差分デコーディングテーブルとを利用して実現する。差分コーティングテーブルと差分デコーディングテーブルとに基づいて取得した干渉過負荷差分コードシリーズと周波数スペクトルリソースブロックの干渉強度ビットマップをカスケーディングし、更に、システム帯域幅における干渉過負荷コードとカスケーディングして、干渉過負荷インジケータのシグナリングとする（ステップＳ５０５およびＳ５１０）。
【０２２６】
図４に示す干渉過負荷シーンを使用する。該実施例の概略図は、図２１に示すとおりである。まず、表１４を干渉過負荷差分コーディングテーブルとし、行索引は、システム帯域幅における干渉過負荷レベルを意味し、列索引は、デコーディング待ちの干渉過負荷レベルを意味する。表中の値は、行索引条件と列索引条件の差分コード値を満たす。また、受ける干渉の相対的に大きい周波数スペクトルリソースブロックのみに対して差分コーディングを行うため、デコーディング待ちの干渉過負荷レベルは、システム帯域幅における干渉過負荷レベルより大きいかまたは等しい。従って、表１４中は「空」という値がある。
【０２２７】
【表１４】
2010141934.tif 000020
【０２２８】
表１４は、干渉過負荷差分デコーディングテーブルに対応する。表１５は、干渉過負荷差分デコーディングテーブルの一例であり、行索引は、システム帯域幅における干渉過負荷レベルを意味し、列索引は、干渉過負荷差分コードを意味し、表中の値は、デコーディングされた干渉過負荷レベルを意味する。
【０２２９】
【表１５】
2010141934.tif 000021
【０２３０】
ここで、表１４および表１５に示す干渉過負荷差分コーディングテーブルと干渉過負荷差分デコーディングテーブルは、差分コーディングの応用の一例にすぎず、実際の応用において、その他の干渉過負荷差分コーディングテーブルと干渉過負荷差分デコーディングテーブルを用いることができる。すなわち、コーディングテーブルとデコーディングテーブルにおける値が単一の値であることを満たすならば、本発明は実施可能である（ステップＳ５０５）。
【０２３１】
まず、基地局は、システムの帯域幅（９６個の周波数スペクトルリソースブロック）における干渉雑音比ＫＡを算出する。例えば、それが「低干渉過負荷」のエリアに位置されている場合、表２により得られるシステム帯域幅における干渉過負荷コードは「０１」である。その後、それぞれの周波数スペクトルリソースブロックの干渉雑音比をＫＡと比較し、比較結果に基づいて生成された周波数スペクトルリソースブロックの干渉強度ビットマップは、「０００１１１００００」である。
【０２３２】
ビットマップの中で１に対応する周波数スペクトルリソースブロック（第４、５、６番の周波数スペクトルリソースブロック）について、システム帯域幅における干渉過負荷レベルが「低」であること、および表１２に基づいて、干渉過負荷差分コードシリーズ「０１０」が得られる（ステップＳ５０５）。該干渉過負荷差分コードシリーズと、周波数スペクトルリソースブロックの干渉強度ビットマップをカスケーディングし、更に、システム帯域幅における干渉過負荷コードとカスケーディングして、得られた１〜１０番の周波数スペクトルリソースブロックの干渉過負荷インジケータのシグナリングは「０１||０００１１１００００||０１０」である。ここで、符号「||」は、単にビットのカスケーディングを表すものであり、実際に伝送されるシグナリングにおいては相応する表示は存在しない。そのシグナリングサイズは、２＋１０＋３＝１５ビットである（ステップＳ５１０）。
【０２３３】
該干渉過負荷インジケータを受信した基地局は、まず、前の２ビットを取り出して、表２によって、システム帯域幅における干渉過負荷レベルを得ると、「低」である。これにより、干渉過負荷の全体の状況を把握することができる。その後、中の１０ビットから、１〜１０番の周波数スペクトルリソースブロックの干渉過負荷のおおよその状況を取得すると、４、５、６番の周波数スペクトルリソースブロックの干渉の過負荷の状況がシステム帯域幅における干渉過負荷レベルを上回っていることが分かる。最後に、後の３ビットから、表１５により、第４、５、６番の周波数スペクトルリソースブロックの干渉過負荷レベルはそれぞれ 「中」、「高」、「中」であり、その他の周波数スペクトルリソースブロックの干渉過負荷レベルは、「無」と判断する。従って、表１１によってデコーディングを行うと、最後の１〜１０番の周波数スペクトルリソースブロックの干渉過負荷レベルは、「低、低、低、中、高、中、低、低、低、低」である。ここで、１番の周波数スペクトルリソースブロックの干渉過負荷レベルには、相対的に小さい誤りが発生している。すなわち、「中」から「低」に誤ってデコーディングされている。これは、干渉強度ビットマップが多段の干渉の過負荷を区別することができないことから生じた誤りである。
【０２３４】
上記のシグナリングの長所は、シグナリングサイズが相対的に小さいこと、および干渉過負荷の状況が全体的に把握できることであり、欠点は、干渉過負荷デコーディングに誤差が生ずる問題が存在することである。ここで、一段階の干渉過負荷を利用する場合（「干渉過負荷レベル有り」および「干渉過負荷レベル無し」のみが存在する場合）、本発明は、周波数スペクトルリソースブロックの干渉強度ビットマップとシステム帯域幅における干渉過負荷コードとをカスケーディングすることのみで、干渉過負荷インジケータのシグナリングを構成することができる。該シグナリングの情報量は、干渉過負荷の状況を表示するに十分であり、干渉過負荷コードシリーズを送信する必要はない。
【０２３５】
例１８：干渉過負荷状態コードシリーズのシグナリング。
【０２３６】
すべての可能な干渉過負荷レベルシリーズを列挙し、このシリーズのグループを過負荷の状態の集合体と称する。毎種の干渉過負荷レベルシリーズに対して、２進数のシリーズでマッピングコーディングを行う。該方法は、一般的に、状態コーディングテーブルと状態デコーディングテーブルとを利用して実現する。状態コーディングテーブルと状態デコーディングテーブルとにより得られた干渉過負荷状態コードを、干渉過負荷インジケータのシグナリングとする（ステップＳ５０５およびＳ５１０）。本実施例は、干渉過負荷の状態マッピングコーディングの実施例とみなすことができる。本実施例では、１対１のマッピングを採用する。
【０２３７】
図４に示す干渉過負荷シーンを使用する。該実施例の概略図は、図２２に示すとおりである。まず、表１６を干渉過負荷の状態コーディングテーブルとする。ここで、第１列は干渉過負荷レベルシリーズであり、それぞれの干渉過負荷レベルシリーズは、１つの干渉過負荷状態コードに唯一に対応する（第２列にある）。９６個の周波数スペクトルリソースブロックにおいて、いずれの周波数スペクトルリソースブロックも３種類の可能な干渉過負荷レベルがあるため、干渉過負荷状態の集合体には、合計で３９６の状態があり、２進数のシリーズでコーディングすると、少なくとも１５３ビット（２１５３≧３９６＞２１５２）がなければ、干渉過負荷レベルシリーズと干渉過負荷状態コードとの間には、１対１のマッピング関係を確保することができない。
【０２３８】
【表１６】
2010141934.tif 000022
【０２３９】
表１６は、干渉過負荷状態デコーディングテーブルに対応する。表１７に示すように、表１７の第１列は干渉過負荷状態コードであり、それぞれの干渉過負荷レベルシリーズは、１つの干渉過負荷状態コードに唯一に対応する（第２列にある）。用いられる干渉状態コードのビット数Ｍが１５３より小さい場合、表１６は３９６行があり、表１７は２Ｍ行のみがあるため、コーディング可能な干渉過負荷レベルシリーズの数は、干渉過負荷レベルシリーズの総数より少ない。従って、干渉過負荷のデコーディングには誤りが生ずる。しかし、Ｍが小さいほど干渉過負荷インジケータのシグナリングサイズも小さくなる。本例において、Ｍ＝１５３と設定して、干渉過負荷レベルシリーズと干渉過負荷状態コードが１対１のマッピング関係を確保する。
【０２４０】
【表１７】
2010141934.tif 000023
【０２４１】
ここで、表１６および表１７に示す干渉過負荷状態コーディングテーブルと干渉過負荷状態デコーディングテーブルとは、干渉過負荷状態デコーディングの応用の一例にすぎず、実際の応用において、その他の干渉過負荷状態コーディングテーブルと干渉過負荷状態デコーディングテーブルとを用いることができる。すなわち、コーディングテーブルとデコーディングテーブルとにおける値が単一の値であることを満たすならば、本発明は実施可能である（ステップＳ５０５）。
【０２４２】
１〜９６番の周波数スペクトルリソースブロックについて、得られた干渉過負荷レベルシリーズは、「中、低、低、中、高、中、低、低、低、低……」であり、表１６から干渉過負荷状態コードが「１１０１０……０１０」であることが得られる。該干渉過負荷状態コードを、１〜９６番の周波数スペクトルリソースブロックの干渉過負荷インジケータのシグナリングとし、そのシグナリングサイズは１５３ビットである。
【０２４３】
該干渉過負荷インジケータを受信した基地局は、受け取った干渉過負荷インジケータのシグナリング（１５３ビット）により、表１７に基づいて、１〜９６番の周波数スペクトルリソースブロックの干渉過負荷レベルが「中、低、低、中、高、中、低、低、低、低……」であることを確認する。該結果は、基地局が送信した干渉過負荷レベルと完全に一致し、誤りがない。
【０２４４】
上記のシグナリングの長所は、シグナリングの構造が簡単であり、負荷が相対的に小さいことであり、欠点は、状態コーディングテーブルおよび状態デコーディングテーブルの記憶量が相対的に大きいことである。
【０２４５】
例１９：サブバンドに基づく干渉過負荷状態コードシリーズのシグナリング。
【０２４６】
まず、すべての周波数スペクトルリソースブロックを、複数のサブバンドに区分する。本発明において、サブバンドの区分の仕方については、具体的な限定を行なわない。すなわち、等しいサイズに区分してもよいし、ばらばらのサイズに区分してもよい。ここで、それぞれのサブバンドの干渉過負荷レベルシリーズを、干渉過負荷レベルのサブシリーズと称する。それぞれのサブバンドの中で、すべての可能な干渉過負荷レベルシリーズを列挙し、このシリーズの集合体をそれぞれのサブバンドの干渉過負荷状態の集合体と呼び、各種の干渉過負荷レベルシリーズに対して、２進数のシリーズでマッピングコーディングを行う。該方法は、一般的に、状態コーディングテーブルと状態デコーディングテーブルとを利用して実現する。状態コーディングテーブルと状態デコーディングテーブルとに基づいて得られたそれぞれのサブバンドの干渉過負荷状態コードをカスケーディングして、干渉過負荷インジケータのシグナリングとする（ステップＳ５０５およびＳ５１０）。本実施例は、サブバンドに基づく干渉過負荷の状態マッピングコーディングの実施例とみなすことができる。本実施例では、１対１のマッピングを採用する。
【０２４７】
図４に示す干渉過負荷シーンを使用する。該実施例の概略図は、図２３に示すとおりである。サブバンドは、等しい大きさに区分し、隣接する２つの周波数スペクトルリソースブロックを１つのストリップとする。まず、表１８を干渉過負荷状態コードの表とし、表１８の第１列は干渉過負荷レベルシリーズであり、すべての干渉過負荷レベルシリーズは、１つの干渉過負荷状態コードに唯一に対応する（第２列）。２つの周波数スペクトルリソースブロックの中で、それぞれの周波数スペクトルリソースブロックは３種類の干渉過負荷レベルが可能であるため、干渉過負荷状態の集合体には共に３２＝９の状態があり、２進数のシリーズでコーディングを行うと、少なくとも４ビットがあれば（２４≧３２＞２３）、干渉過負荷レベルシリーズと干渉過負荷状態コードとの間には、１対１のマッピング関係を確保することができる。
【０２４８】
【表１８】
2010141934.tif 000024
【０２４９】
表１９は、干渉過負荷状態デコーディングテーブルに対応するが、表１９に示すように、第１列は干渉過負荷状態コードであり、それぞれの干渉過負荷状態コードは、１つの干渉過負荷レベルシリーズに唯一に対応する（第２列）。利用される干渉の状態コードのビット数Ｍが４より小さい場合、表１８は９行あるが、表１９は２Ｍ行あり、デコーディング可能な干渉過負荷レベルシリーズの数は干渉過負荷レベルシリーズの合計より少ないため、干渉過負荷デコーディングには誤りが生ずることを招く。しかし、Ｍが小さいほど、干渉過負荷インジケータのシグナリングサイズも小さい。本例において、Ｍ＝４と設定され、干渉過負荷レベルシリーズと干渉過負荷状態コードとの間は、１対１のマッピング関係を有する。
【０２５０】
【表１９】
2010141934.tif 000025
【０２５１】
ここで、表１８および表１９に示す干渉過負荷状態コーディングテーブルと干渉過負荷状態デコーディングテーブルとは、干渉過負荷状態デコーディングの応用の一例にすぎず、実際の応用において、その他の干渉過負荷状態コーディングテーブルと干渉過負荷状態デコーディングテーブルとを用いることができる。すなわち、コーディングテーブルとデコーディングテーブルにおける値が単一の値であることを満たすならば、本発明は実施可能である（ステップＳ５０５）。
【０２５２】
１〜９６番の周波数スペクトルリソースブロックについて、得られた干渉過負荷レベルシリーズは、「中、低、低、中、高、中、低、低、低、低……」であり、９６個の周波数スペクトルリソースブロックは、合計４８個のストリップに分けることができる（それぞれのサブバンドは、２つの周波数スペクトルリソースブロックを含む）。それぞれのサブバンドに対して、表１８により、その干渉過負荷状態コードが得られる。たとえば、サブバンド１からサブバンド５の干渉過負荷状態コードは、順次に「００１１」、「０００１」、「０１１１」、「００００」、「００００」であり（ステップＳ５０５）、更に、４８個のサブバンドの干渉過負荷状態コードをカスケーディングして、１〜９６番の周波数スペクトルリソースブロックの干渉過負荷インジケータのシグナリングとする。そのシグナリングサイズは、４×４８＝１９２ビットである（ステップＳ５１０）。
【０２５３】
該干渉過負荷インジケータを受信した基地局は、受け取った干渉過負荷インジケータのシグナリング（１９２ビット）により、４ビットを１組としてサブバンドの干渉過負荷状態コードとし、更に、表１９に基づいて、１〜９６番の周波数スペクトルリソースブロックの干渉過負荷レベルが「中、低、低、中、高、中、低、低、低、低……」であることを確認する。該結果は、基地局が送信した干渉過負荷レベルと完全に一致し、誤りがない。
【０２５４】
上記のシグナリングの長所は、シグナリングの構造が簡単で、状態コーディングテーブルと状態デコーディングテーブルの記憶容量が相対的に小さいことであり、欠点は、サブバンド内の過剰のコードが比較的に多い場合、シグナリングサイズが相対的に大きいことである。
【０２５５】
例２０：サブバンドに基づく干渉過負荷状態コードシリーズのシグナリング。
【０２５６】
まず、すべての周波数スペクトルリソースブロックを、複数のサブバンドに区分する。本発明において、サブバンドの区分の仕方については、具体的な限定を行なわない。すなわち、等しいサイズに区分してもよいし、ばらばらのサイズに区分してもよい。ここで、それぞれのサブバンドの干渉過負荷レベルシリーズを、干渉過負荷レベルのサブシリーズと称する。それぞれのサブバンドの中で、すべての可能な干渉過負荷レベルシリーズを列挙し、このシリーズの集合体をそれぞれのサブバンドの干渉過負荷状態の集合体と呼び、各種の干渉過負荷レベルシリーズに対して、２進数のシリーズでマッピングコーディングを行う。該方法は、一般的に、状態コーディングテーブルと状態デコーディングテーブルとを利用して実現する。状態コーディングテーブルと状態デコーディングテーブルとに基づいて得られたそれぞれのサブバンドの干渉過負荷状態コードをカスケーディングして、干渉過負荷インジケータのシグナリングとする（ステップＳ５０５およびＳ５１０）。本実施例は、サブバンドに基づく干渉過負荷の状態マッピングコーディングの実施例とみなすことができる。本実施例では、唯一のマッピングを採用する。
【０２５７】
図４に示す干渉過負荷シーンを使用する。該実施例の概略図は、図２４に示すとおりである。サブバンドは、等しい大きさに区分し、隣接する２つの周波数スペクトルリソースブロックを１つのストリップとする。まず、表２０を干渉過負荷状態コードの表とし、表２０の第１列は干渉過負荷レベルシリーズであり、すべての干渉過負荷レベルシリーズは、１つの干渉過負荷状態コードに唯一に対応する（第２列）。２つの周波数スペクトルリソースブロックの中で、それぞれの周波数スペクトルリソースブロックは３種類の干渉過負荷レベルが可能であるため、干渉過負荷状態の集合体には共に３２＝９の状態があり、２進数のシリーズでコーディングを行うと、少なくとも４ビットがあれば（２４≧３２＞２３）、干渉過負荷レベルシリーズと干渉過負荷状態コードとの間は、１対１のマッピング関係を確保することができる。
【０２５８】
【表２０】
2010141934.tif 000026
【０２５９】
表２０は、干渉過負荷状態デコーディングテーブルに対応するが、表２１に示すように、表２１の第１列は干渉過負荷状態コードであり、それぞれの干渉過負荷状態コードは、１つの干渉過負荷レベルシリーズに唯一に対応する（第２列）。利用される干渉の状態コードのビット数Ｍが４より小さい場合、表２０は９行あるが、表２１は２Ｍ行あり、デコーディング可能な干渉過負荷レベルシリーズの数は干渉過負荷レベルシリーズの合計より少ないため、干渉過負荷デコーディングには誤りが生ずることを招く。しかし、Ｍが小さいほど、干渉過負荷インジケータのシグナリングサイズも小さい。本例において、Ｍ＝３と設定される。従って、表２０は９行があり、表２１は８行のみがあることになり、干渉過負荷状態の「低低」が「低中」に誤ってコーディングされる。しかし、Ｍ＝３であるため、干渉過負荷インジケータのシグナリングサイズは、Ｍ＝４である例１９の場合より、２５％減少させることができる。
【０２６０】
【表２１】
2010141934.tif 000027
【０２６１】
ここで、表２０および表２１に示す干渉過負荷状態コーディングテーブルと干渉過負荷状態デコーディングテーブルは、干渉過負荷状態デコーディングの応用の一例にすぎず、実際の応用において、その他の干渉過負荷状態コーディングテーブルと干渉過負荷状態デコーディングテーブルを用いることができる。すなわち、コーディングテーブルとデコーディングテーブルにおける値が単一の値であることを満たすならば、本発明は実施可能である（ステップＳ５０５）。
【０２６２】
１〜９６番の周波数スペクトルリソースブロックについて、得られた干渉過負荷レベルシリーズは、「中、低、低、中、高、中、低、低、低、低……」であり、９６個の周波数スペクトルリソースブロックは、合計４８個のストリップに分けることができる（それぞれのサブバンドは、２つの周波数スペクトルリソースブロックを含む）。それぞれのサブバンドに対して、表２０により、その干渉過負荷状態コードが得られる。たとえば、サブバンド１からサブバンド５の干渉過負荷状態コードは、順次に「０１０」、「０００」、「１１０」、「０００」、「０００」であり（ステップＳ５０５）、更に、４８個のサブバンドの干渉過負荷状態コードをカスケーディングして、１〜９６番の周波数スペクトルリソースブロックの干渉過負荷インジケータのシグナリングとする。そのシグナリングサイズは、３×４８＝１４４ビットである（ステップＳ５１０）。
【０２６３】
該干渉過負荷インジケータを受信した基地局は、受け取った干渉過負荷インジケータのシグナリング（１４４ビット）により、３ビットを１組としてサブバンドの干渉過負荷状態コードとし、更に、表１９に基づいて、１〜９６番の周波数スペクトルリソースブロックの干渉過負荷レベルが「中、低、低、中、高、中、低、中、低、中……」であることを確認する。ここで、８および１０番の周波数スペクトルリソースブロックの干渉過負荷レベルには、相対的に小さい誤りに発生している。すなわち、「低」および「低」のそれぞれから、「中」および「中」のそれぞれに誤ってデコーディングされている。これは、干渉が状態デコーディングテーブルがコーディング可能な干渉過負荷状態のシリーズの数が、干渉過負荷状態コーディングテーブルの中の干渉過負荷状態のシリーズの数より少ないことから生じた誤りである。
【０２６４】
上記のシグナリングの長所は、シグナリングの構造が簡単で、状態コーディングテーブルと状態デコーディングテーブルの記憶容量が相対的に小さいことであり、欠点は、サブバンド内の過剰コードが比較的に多い場合、シグナリングサイズが相対的に大きいことである。
【０２６５】
ここで、例１〜２０および対応する図５〜２４は、本発明の干渉過負荷インジケータのシグナリングを実現するための一例であり、本発明の干渉過負荷インジケータのシグナリングは、例１〜２０および対応する図５〜２４の方式のみに限定されない。
【０２６６】
以上のとおりに生成された干渉過負荷インジケータは、基地局により送信される。
【０２６７】
本発明において、基地局は、全方向送信（すべての隣接する基地局に送信）または特定方向送信（特定の隣接する基地局に送信する）の方法により、干渉過負荷インジケータを隣接する基地局に送信する。
【０２６８】
ここで、上記干渉過負荷インジケータの送信方法は、本発明の応用を説明するために挙げた例であり、該送信ステップは、本発明のその他のステップと別に単独で行うことができ、その実施方法を変更しても本発明の実施は可能である。
【０２６９】
なお、好ましいのは、アップリンク周波数分割多重送信用のセル方式通信システムに用いられる干渉過負荷インジケータ生成装置であって、予め設定された条件に基づいて、アップリンクデータの伝送に用いられる周波数スペクトルリソースブロックのそれぞれにおける干渉過負荷レベルを確定する確定ユニットと、上記確定ユニットにより確定された、周波数スペクトルリソースブロックのそれぞれにおける干渉過負荷レベルに対して、コーディングまたは状態コーディングを行い、干渉過負荷レベルに対するコーディングにより干渉過負荷コードまたは干渉過負荷状態コードを生成するコーディングユニットと、上記コーディングユニットにより生成された干渉過負荷コードまたは干渉過負荷状態コードに基づいて、周波数スペクトルリソースブロックのそれぞれにおける干渉過負荷レベルを反映させた、干渉過負荷インジケータを生成する生成ユニットとを含むことを特徴とする干渉過負荷インジケータ生成装置を提供することである。
【０２７０】
好ましいのは、上記干渉過負荷レベルは複数あり、上記確定ユニットは、上記予め設定した条件に基づいて、上記複数の干渉過負荷レベルのいずれか１つに確定することである。
【０２７１】
好ましいのは、上記予め設定された条件は、周波数スペクトルリソースブロックにおける干渉雑音比のしきい値、干渉値のしきい値、サービス品質の満足度のしきい値、負荷状況、干渉を受ける状況、およびセルの境界のユーザ数の少なくとも１つに基づいて設定されることである。
【０２７２】
好ましいのは、上記コーディングユニットは、上記確定ユニットが確定した、周波数スペクトルリソースブロックのそれぞれにおける干渉過負荷レベルに対してコーディングを行って、周波数スペクトルリソースブロックのそれぞれにおける干渉過負荷コードを生成するものであって、上記生成された干渉過負荷コードのそれぞれは、上記複数の干渉過負荷レベルのそれぞれと１対１に対応することである。
【０２７３】
好ましいのは、上記生成ユニットは、周波数スペクトルリソースブロックの順序に従って、相応する干渉過負荷コードを順次にカスケーディングして、上記干渉過負荷インジケータを生成することである。
【０２７４】
好ましいのは、上記干渉過負荷インジケータ生成装置は、上記アップリンク周波数分割多重送信用のセル方式通信システムにおける他の干渉過負荷インジケータ生成装置との通信により上記予め設定される条件を設定し、上記予め設定された条件を、上記アップリンク周波数分割多重送信用のセル方式通信システムにおいて利用可能にすることである。
【０２７５】
好ましいのは、上記コーディングユニットは、最も低い干渉過負荷レベルを除いた干渉過負荷レベルを有する周波数スペクトルリソースブロックのそれぞれにおける干渉過負荷レベルに対してコーディングを行って、高干渉過負荷コードを生成するものであって、上記生成された高干渉過負荷コードのそれぞれは、上記複数の干渉過負荷レベルの中から最も低い干渉過負荷レベルを除いた干渉過負荷レベルのそれぞれと１対１に対応することである。
【０２７６】
好ましいのは、上記セル方式通信システムのシステム帯域幅における干渉過負荷レベルを取得するシステム平均干渉レベル演算ユニットをさらに含んでおり、上記コーディングユニットは、上記システム平均干渉レベル演算ユニットの取得した上記干渉過負荷レベルに対してコーディングを行って、平均干渉過負荷コードを生成し、かつ、干渉過負荷レベルが上記干渉過負荷レベルより高い周波数スペクトルリソースブロックのそれぞれにおける干渉過負荷レベルに対してコーディングを行って、周波数スペクトルリソースブロックのそれぞれにおける、干渉過負荷のシステム平均のコードを生成するものであって、上記生成された、干渉過負荷のシステム平均のコードは、上記複数の干渉過負荷レベルのそれぞれと１対１に対応することである。
【０２７７】
好ましいのは、差分コーディング／デコーディングテーブルを記憶する記憶ユニットをさらに含んでおり、上記コーディングユニットは、１つの周波数スペクトルリソースブロックを参照周波数スペクトルリソースブロックとして選択し、上記記憶ユニットに記憶させた差分コーディング／デコーディングテーブルに基づいて、参照周波数スペクトルリソースブロックと隣接する周波数スペクトルリソースブロックの干渉過負荷コードに対して順次に差分コーディングを行って、干渉過負荷差分コードを生成することである。
【０２７８】
好ましいのは、差分コーディング／デコーディングテーブルを記憶する記憶ユニットをさらに含んでおり、上記コーディングユニットは、最も低い干渉過負荷レベルを除いた干渉過負荷レベルを有する周波数スペクトルリソースブロッの１つクを参照周波数スペクトルリソースブロックとして選択し、上記記憶ユニットの記憶した差分コーディング／デコーディングテーブルに基づいて、参照周波数スペクトルリソースブロックと隣接する、最も低い干渉過負荷レベルを除いた干渉過負荷レベルを有する周波数スペクトルリソースブロックの干渉過負荷コードに対して、順次に差分コーディングを行って、高干渉過負荷差分コードを生成することである。
【０２７９】
好ましいのは、すべての周波数スペクトルリソースブロックを複数のサブバンドに区分するサブバンド区分ユニットと、差分コーディング／デコーディングテーブルを記憶する記憶ユニットとを含んでおり、上記コーディングユニットは、上記サブバンド区分ユニットが区分したすべてのサブバンドの中で、１つの周波数スペクトルリソースブロックを参照周波数スペクトルリソースブロックとして選択し、上記記憶ユニットに記憶させた差分コーディング／デコーディングテーブルに基づいて、参照周波数スペクトルリソースブロックと隣接する周波数スペクトルリソースブロックの干渉過負荷コードに対して、順次に差分コーディングを行って、干渉過負荷のサブバンドの差分コードを生成することである。
【０２８０】
好ましいのは、上記セル方式通信システムのシステム帯域幅における干渉過負荷レベルを取得するシステム平均干渉レベル演算ユニットと、差分コーディング／デコーディングテーブルを記憶する記憶ユニットとをさらに含んでおり、上記コーディングユニットは、上記システム平均干渉レベル演算ユニットが取得した上記干渉過負荷レベルに対してコーディングを行って、平均干渉過負荷コードを生成し、上記平均干渉過負荷コードと上記記憶ユニットに記憶させた差分コーディング／デコーディングテーブルとに基づいて、周波数スペクトルリソースブロックのそれぞれの干渉過負荷コードに対して、順次に差分コーディングを行って、干渉過負荷のシステム平均の差分コードを生成することである。
【０２８１】
好ましいのは最も低い干渉過負荷レベルを除いた干渉過負荷レベルを有する周波数スペクトルリソースブロックを表す周波数スペクトルリソースブロックのインデックスナンバーを生成するインデックスナンバー生成ユニットをさらに含んでおり、上記生成ユニットは、周波数スペクトルリソースブロックのインデックスナンバーと、相応する干渉過負荷コードまたは高干渉過負荷コードとをカスケーディングして、高干渉過負荷リソースブロックの干渉過負荷コードを生成し、上記生成した高干渉過負荷リソースのブロック干渉過負荷コードをカスケーディングして、上記干渉過負荷インジケータを生成することである。
【０２８２】
好ましいのは、周波数スペクトルリソースブロックのそれぞれを表すビットマップを生成するビットマップ生成ユニットをさらに含んでおり、上記ビットマップ生成ユニットは、上記ビットマップにおいて、最も低い干渉過負荷レベルを有する周波数スペクトルリソースブロックと、最も低い干渉過負荷レベルを除いた干渉過負荷レベルを有する周波数スペクトルリソースブロックとを、異なるビット値を割り当てることによって区分し、上記生成ユニットは、周波数スペクトルリソースブロックの順序に従って、順次に、上記ビットマップと、最も低い干渉過負荷レベルを除いた干渉過負荷レベルを有する周波数スペクトルリソースブロックの干渉過負荷コードまたは高干渉過負荷コードをカスケーディングして、上記干渉過負荷インジケータを生成することである。
【０２８３】
好ましいのは、上記干渉過負荷レベルより高い干渉過負荷レベルを有する周波数スペクトルリソースブロックを表す周波数スペクトルリソースブロックのインデックスナンバーを生成するインデックスナンバー生成ユニットをさらに含んでおり、上記生成ユニットは、周波数スペクトルリソースブロックのインデックスナンバーと相応する、干渉過負荷のシステム平均のコードとをカスケーディングして、高干渉過負荷リソースブロックの干渉過負荷コードを生成し、上記平均干渉過負荷コードと、上記生成した高干渉過負荷リソースブロックの干渉過負荷コードのそれぞれをカスケーディングして、上記干渉過負荷インジケータを生成することである。
【０２８４】
好ましいのは、周波数スペクトルリソースブロックのそれぞれを表すビットマップを生成するビットマップ生成ユニットをさらに含んでおり、上記ビットマップ生成ユニットは、上記ビットマップにおいて、上記干渉過負荷レベルより高い干渉過負荷レベルを有する周波数スペクトルリソースブロックと、その他の干渉過負荷レベルを有する周波数スペクトルリソースブロックとを、異なるビット値を割り当てることによって区分し、上記生成ユニットは、周波数スペクトルリソースブロックの順序に従って、順次に、上記平均干渉過負荷コード、上記ビットマップ、および上記干渉過負荷レベルより高い干渉過負荷レベルを有する周波数スペクトルリソースブロックのそれぞれの、干渉過負荷のシステム平均のコードをカスケーディングして、上記干渉過負荷インジケータを生成することである。
【０２８５】
好ましいのは、上記生成ユニットは、周波数スペクトルリソースブロックの順序に従って、順次に、上記参照周波数スペクトルリソースブロックの干渉過負荷コードと、その他の周波数スペクトルリソースブロックの干渉過負荷差分コードとをカスケーディングして、上記干渉過負荷インジケータを生成することである。
【０２８６】
好ましいのは、周波数スペクトルリソースブロックのそれぞれを表すビットマップを生成するビットマップ生成ユニットをさらに含んでおり、上記ビットマップ生成ユニットは、上記ビットマップにおいて、最も低い干渉過負荷レベルを除いた干渉過負荷レベルを有する周波数スペクトルリソースブロックと最も低い干渉過負荷レベルを有する周波数スペクトルリソースブロックとを、異なるビット値を割り当てることによって区分し、上記生成ユニットは、周波数スペクトルリソースブロックの順序に従って、順次に、上記ビットマップ、上記参照周波数スペクトルリソースブロックの干渉過負荷コード、およびその他の周波数スペクトルリソースブロックの干渉過負荷差分コードまたは高干渉過負荷差分コードをカスケーディングして、上記干渉過負荷インジケータを生成することである。
【０２８７】
好ましいのは、上記生成ユニットは、上記サブバンドのそれぞれに対して、順次に該サブバンド内の参照周波数スペクトルリソースブロックの干渉過負荷コードと、その他の周波数スペクトルリソースブロックの干渉過負荷のサブバンドの差分コードとをカスケーディングして、サブバンドの干渉過負荷インジケータを生成し、かつ、サブバンドの順序に従って、順次に、上記サブバンドの干渉過負荷インジケータをカスケーディングして、上記干渉過負荷インジケータを生成することである。
【０２８８】
好ましいのは、上記生成ユニットは、周波数スペクトルリソースブロックの順序に従って、順次に、上記平均干渉過負荷コードと周波数スペクトルリソースブロックのそれぞれの、干渉過負荷のシステム平均の差分コードとをカスケーディングして、上記干渉過負荷インジケータを生成することである。
【０２８９】
好ましいのは、状態コーディング／デコーディングテーブルを記憶する記憶ユニットをさらに含んでおり、上記コーディングユニットは、上記確定された周波数スペクトルリソースブロックのそれぞれにおける干渉過負荷レベルを、周波数スペクトルリソースブロックの順に連続させた、干渉過負荷レベルシリーズを生成し、上記記憶ユニットに記憶された状態コーディング／デコーディングテーブルに基づいて、上記干渉過負荷レベルシリーズに対して状態マッピングコーディングを行って、上記干渉過負荷状態コードを生成し、かつ、上記生成ユニットは、上記干渉過負荷状態コードを、上記干渉過負荷インジケータとして処理することである。
【０２９０】
好ましいのは、すべての周波数スペクトルリソースブロックを複数のサブバンドに区分するサブバンド区分ユニットと、状態コーディング／デコーディングテーブルを記憶する記憶ユニットとをさらに含んでおり、上記コーディングユニットは、上記サブバンド区分ユニットが区分したサブバンドのそれぞれにおいて、上記確定されたそれぞれの周波数スペクトルリソースブロックのそれぞれにおける干渉過負荷レベルを、周波数スペクトルリソースブロックの順に連続させた、干渉過負荷レベルのサブシリーズを生成し、上記記憶ユニットに記憶させた状態コーディング／デコーディングテーブルに基づいて、上記生成した干渉過負荷レベルのサブシリーズに対して状態マッピングコーディングを行って、上記干渉過負荷状態コードを生成し、かつ、上記生成ユニットは、上記サブバンドの順序に従って、順次に、上記干渉過負荷状態コードをカスケーディングして、上記干渉過負荷インジケータを生成することである。
【０２９１】
好ましいのは、上記干渉過負荷状態コードと、上記コーディングユニットが生成する干渉過負荷レベルシリーズまたは干渉過負荷レベルのサブシリーズとの間には１対１のマッピング関係があることである。
【０２９２】
好ましいのは、上記コーディングユニットが生成する干渉過負荷レベルシリーズまたは干渉過負荷レベルのサブシリーズと、上記干渉過負荷状態コードとの間には、唯一のマッピング関係があることである。
【０２９３】
好ましいのは、アップリンク周波数分割多重送信用のセル方式通信システムに用いられる干渉過負荷インジケータ生成方法であって、予め設定された条件に基づいて、アップリンクデータの伝送に用いられる周波数スペクトルリソースブロックのそれぞれにおける干渉過負荷レベルを確定する確定ステップと、上記確定された周波数スペクトルリソースブロックのそれぞれにおける干渉過負荷レベルに対して、コーディングまたは状態コーディングを行い、干渉過負荷コードまたは干渉過負荷状態コードを生成するコーディングステップと、上記生成された干渉過負荷コードまたは干渉過負荷状態コードに基づいて、周波数スペクトルリソースブロックのそれぞれにおける干渉過負荷レベルを反映させた、干渉過負荷インジケータを生成する生成ステップとを含むことを特徴とする干渉過負荷インジケータ生成方法を提供することである。
【０２９４】
好ましいのは、上記干渉過負荷レベルが複数あり、上記確定ステップにて、上記予め設定された条件に基づいて、上記複数の干渉過負荷レベルのうちのいずれか１つに確定することである。
【０２９５】
好ましいのは、上記確定ステップにおいて、上記予め設定された条件は、周波数スペクトルリソースブロックにおける干渉雑音比のしきい値、干渉値のしきい値、サービス品質の満足度のしきい値、負荷状況、干渉を受ける状況、およびセルの境界のユーザ数の少なくとも１つに基づいて設定されることである。
【０２９６】
好ましいのは、上記コーディングステップにおいて、上記確定された周波数スペクトルリソースブロックのそれぞれにおける干渉過負荷レベルに対してコーディングを行って、周波数スペクトルリソースブロックのそれぞれにおける干渉過負荷コードを生成し、上記干渉過負荷コードは、上記複数の干渉過負荷レベルのそれぞれと１対１に対応することである。
【０２９７】
好ましいのは、上記生成ステップにおいて、周波数スペクトルリソースブロックの順序に従って、相応する干渉過負荷コードを順次にカスケーディングして、上記干渉過負荷インジケータを生成することである。
【０２９８】
好ましいのは、上記予め設定された条件は、上記アップリンク周波数分割多重送信用のセル方式通信システムにおいて利用されることである。
【０２９９】
好ましいのは、上記コーディングステップにおいて、最も低い干渉過負荷レベルを除いた干渉過負荷レベルを有する周波数スペクトルリソースブロックのそれぞれにおける干渉過負荷レベルに対してコーディングを行って、高干渉過負荷コードを生成し、上記生成された高干渉過負荷コードのそれぞれは、上記複数の干渉過負荷レベルの中から最も低い干渉過負荷レベルを除いた干渉過負荷レベルのそれぞれと１対１に対応することである。
【０３００】
好ましいのは、上記コーディングステップにおいて、上記セル方式通信システムのシステム帯域幅における干渉過負荷レベルを取得し、それに対してコーディングを行って、平均干渉過負荷コードを生成し、干渉過負荷レベルが上記干渉過負荷レベルより高い周波数スペクトルリソースブロックのそれぞれにおける干渉過負荷レベルに対してコーディングを行って、周波数スペクトルリソースブロックのそれぞれにおける、干渉過負荷のシステム平均のコードを生成し、上記生成された、干渉過負荷のシステム平均のコードのそれぞれは、上記複数の干渉過負荷レベルのそれぞれと１対１に対応することである。
【０３０１】
好ましいのは、上記コーディングステップにおいて、さらに、１つの周波数スペクトルリソースブロックを参照周波数スペクトルリソースブロックとして選択し、差分コーディング／デコーディングテーブルに基づいて、参照周波数スペクトルリソースブロックと隣接する周波数スペクトルリソースブロックの干渉過負荷コードに対して、順次に差分コーディングを行って、干渉過負荷差分コードを生成することである。
【０３０２】
好ましいのは、上記コーディングステップにおいて、さらに、最も低い干渉過負荷レベルを除いた干渉過負荷レベルを有する周波数スペクトルリソースブロックの１つを参照周波数スペクトルリソースブロックとして選択し、差分コーディング／デコーディングテーブルに基づいて、参照周波数スペクトルリソースブロックと隣接する、最も低い干渉過負荷レベルを除いた干渉過負荷レベルを有する周波数スペクトルリソースブロックの干渉過負荷コードに対して、順次に差分コーディングを行って、高干渉過負荷差分コードを生成することである。
【０３０３】
好ましいのは、上記コーディングステップにおいて、さらに、すべての周波数スペクトルリソースブロックを複数のサブバンドに区分し、サブバンドのそれぞれにおいて、１つの周波数スペクトルリソースブロックを参照周波数スペクトルリソースブロックとして選択し、差分コーディング／デコーディングテーブルに基づいて、参照周波数スペクトルリソースブロックと隣接する周波数スペクトルリソースブロックの干渉過負荷コードに対して、順次に差分コーディングを行って、干渉過負荷のサブバンドの差分コードを生成することである。
【０３０４】
好ましいのは、上記コーディングステップにおいて、さらに、上記セル方式通信システムのシステム帯域幅における干渉過負荷レベルを取得し、取得した上記干渉過負荷レベルに対してコーディングを行って、平均干渉過負荷コードを生成し、上記平均干渉過負荷コードと差分コーディング／デコーディングテーブルとに基づいて、周波数スペクトルリソースブロックのそれぞれの干渉過負荷コードに対して、順次に差分コーディングを行って、干渉過負荷のシステム平均の差分コードを生成することである。
【０３０５】
好ましいのは、上記生成ステップにおいて、最も低い干渉過負荷レベルを除いた干渉過負荷レベルを有する周波数スペクトルリソースブロックを、周波数スペクトルリソースブロックのインデックスナンバーで表し、周波数スペクトルリソースブロックのインデックスナンバーと、相応する干渉過負荷コードまたは高干渉過負荷コードとをカスケーディングして、高干渉過負荷リソースのブロック干渉過負荷コードを生成し、上記生成した高干渉過負荷リソースのブロック干渉過負荷コードをカスケーディングして、上記干渉過負荷インジケータを生成することである。
【０３０６】
好ましいのは、上記生成ステップにおいて、ビットマップによりそれぞれの周波数スペクトルリソースブロックを表し、上記ビットマップにおいて、最も低い干渉過負荷レベルを有する周波数スペクトルリソースブロックと、最も低い干渉過負荷レベルを除いた干渉過負荷レベルを有する周波数スペクトルリソースブロックとを、異なるビット値を割り当てることによって区分し、周波数スペクトルリソースブロックの順序に従って、順次に、上記ビットマップと、最も低い干渉過負荷レベルを除いた干渉過負荷レベルを有する周波数スペクトルリソースブロックの干渉過負荷コードまたは高干渉過負荷コードをカスケーディングして、上記干渉過負荷インジケータを生成することである。
【０３０７】
好ましいのは、上記生成ステップにおいて、上記生成ステップにおいて、上記干渉過負荷レベルより高い干渉過負荷レベルを有する周波数スペクトルリソースブロックを周波数スペクトルリソースブロックのインデックスナンバーで表し、周波数スペクトルリソースブロックのインデックスナンバーと相応する、干渉過負荷のシステム平均のコードとをカスケーディングして、高干渉過負荷リソースブロックの干渉過負荷コードを生成し、上記平均干渉過負荷コードと、上記生成した高干渉過負荷リソースブロックの干渉過負荷コードのそれぞれをカスケーディングして、上記干渉過負荷インジケータを生成することである。
【０３０８】
好ましいのは、上記生成ステップにおいて、周波数スペクトルリソースブロックのそれぞれをビットマップで表し、上記ビットマップにおいて、上記干渉過負荷レベルより高い干渉過負荷レベルを有する周波数スペクトルリソースブロックと、その他の干渉過負荷レベルを有する周波数スペクトルリソースブロックとを、異なるビット値を割り当てることによって区分し、周波数スペクトルリソースブロックの順序に従って、順次に、上記平均干渉過負荷コードと、上記ビットマップと、上記干渉過負荷レベルより高い干渉過負荷レベルを有する周波数スペクトルリソースブロックのそれぞれの、干渉過負荷のシステム平均のコードとをカスケーディングして、上記干渉過負荷インジケータを生成することである。
【０３０９】
好ましいのは、上記生成ステップにおいて、周波数スペクトルリソースブロックの順序に従って、順次に、上記参照周波数スペクトルリソースブロックの干渉過負荷コードと、その他の周波数スペクトルリソースブロックの干渉過負荷差分コードとをカスケーディングして、上記干渉過負荷インジケータを生成することである。
【０３１０】
好ましいのは、上記生成ステップにおいて、周波数スペクトルリソースブロックのそれぞれをビットマップで表し、上記ビットマップにおいて、最も低い干渉過負荷レベルを除いた干渉過負荷レベルを有する周波数スペクトルリソースブロックと、最も低い干渉過負荷レベルを有する周波数スペクトルリソースブロックとを、異なるビット値を割り当てることによって区分し、周波数スペクトルリソースブロックの順序に従って、順次に、上記ビットマップと、上記参照周波数スペクトルリソースブロックの干渉過負荷コードと、その他の周波数スペクトルリソースブロックの干渉過負荷差分コードまたは高干渉過負荷差分コードをカスケーディングして、上記干渉過負荷インジケータを生成することである。
【０３１１】
好ましいのは、上記生成ステップにおいて、上記サブバンドのそれぞれに対して、順次に該サブバンド内の参照周波数スペクトルリソースブロックの干渉過負荷コードと、その他の周波数スペクトルリソースブロックの干渉過負荷のサブバンドの差分コードとをカスケーディングして、サブバンドの干渉過負荷インジケータを生成し、かつ、サブバンドの順序に従って、順次に、上記サブバンドの干渉過負荷インジケータをカスケーディングして、上記干渉過負荷インジケータを生成することである。
【０３１２】
好ましいのは、上記生成ステップにおいて、周波数スペクトルリソースブロックの順序に従って、順次に、上記平均干渉過負荷コードと、周波数スペクトルリソースブロックのそれぞれの、干渉過負荷のシステム平均の差分コードとをカスケーディングして、上記干渉過負荷インジケータを生成することである。
【０３１３】
好ましいのは、上記コーディングステップにおいて、上記確定された周波数スペクトルリソースブロックのそれぞれにおける干渉過負荷レベルを、周波数スペクトルリソースブロックの順に連続させた、干渉過負荷レベルシリーズを生成し、状態コーディング／デコーディングテーブルに基づいて、上記干渉過負荷レベルシリーズに対して状態マッピングコーディングを行って、上記干渉過負荷状態コードを生成し、かつ、上記生成ステップにおいて、上記干渉過負荷状態コードを、上記干渉過負荷インジケータとして処理することである。
【０３１４】
好ましいのは、上記コーディングステップにおいて、すべての周波数スペクトルリソースブロックを複数のサブバンドに区分し、上記区分したサブバンドのそれぞれにおいて、上記確定された周波数スペクトルリソースブロックのそれぞれにおける干渉過負荷レベルを、周波数スペクトルリソースブロックの順に連続させた、干渉過負荷レベルのサブシリーズを生成し、状態コーディング／デコーディングテーブルに基づいて、上記生成した干渉過負荷レベルのサブシリーズに対して状態マッピングコーディングを行って、上記干渉過負荷状態コードを生成し、かつ、上記生成ステップにおいて、サブバンドの順序に従って、順次に、上記干渉過負荷状態コードをカスケーディングして、上記干渉過負荷インジケータを生成することである。
【０３１５】
好ましいのは、上記干渉過負荷状態コードと、上記コーディングステップにて生成される干渉過負荷レベルシリーズまたは干渉過負荷レベルのサブシリーズとの間には、１対１のマッピング関係があることである。
【０３１６】
好ましいのは、上記コーディングステップにて生成される干渉過負荷レベルシリーズまたは干渉過負荷レベルのサブシリーズと、上記干渉過負荷状態コードとの間には、唯一のマッピング関係があることである。
【０３１７】
本発明の第３方案によると、アップリンク周波数分割多重送信用のセル方式通信システムに用いられる干渉過負荷インジケータ生成制御装置であって、システム干渉関連パラメータを検出する検出ユニットと、上記システム干渉関連パラメータの検出値と予め設定されたしきい値とを比較する比較ユニットと、上記比較ユニットの比較結果に基づいて、本発明の第１方案の干渉過負荷インジケータ生成装置を制御して動作させるトリガユニットとを含むことを特徴とする干渉過負荷インジケータ生成制御装置を提供する。
【０３１８】
好ましいのは、上記システム干渉関連パラメータは、上記セル方式通信システムのシステム帯域幅における干渉のレベル、および、上記セル方式通信システムのシステムリソースの負荷率の少なくともいずれかであるか、または、上記システム干渉関連パラメータは、一部の上記システム帯域幅における干渉のレベル、および、一部の上記システムリソースの負荷率の少なくともいずれかであることである。
【０３１９】
好ましいのは、上記システム帯域幅における干渉のレベルは、上記システム帯域幅における干渉の出力密度、上記システム帯域幅における干渉雑音比、上記システム帯域幅における干渉の出力密度の平均値、および上記システム帯域幅における平均干渉雑音比の少なくとも１つを含むか、または、一部の上記システム帯域幅における干渉のレベルは、一部の上記システム帯域幅における干渉の出力密度、一部の上記システム帯域幅における干渉雑音比、一部の上記システム帯域幅における干渉の出力密度の平均値、および一部の上記システム帯域幅における平均干渉雑音比の少なくとも１つを含むことである。
【０３２０】
好ましいのは、上記システムリソースの負荷率は、データ伝送チャネルリソースの占有率、およびコントロールシグナリングチャネルリソースの占有率の少なくとも１つを含むか、または、一部の上記システムリソースの負荷率は、一部のデータ伝送チャネルリソースの占有率、および一部のコントロールシグナリングチャネルリソースの占有率の少なくとも１つを含むことである。
【０３２１】
好ましいのは、上記システム帯域幅における干渉のレベル、および、上記システムリソースの負荷率の少なくともいずれかが、予め設定されたしきい値より大きい場合、上記トリガユニットは、本発明の第１方案の干渉過負荷インジケータ生成装置を制御して動作させるか、または、一部の上記システム帯域幅における干渉のレベル、および、一部の上記システムリソースの負荷率の少なくともいずれかが、予め設定されたしきい値より大きい場合、上記トリガユニットは、本発明の第１方案の干渉過負荷インジケータ生成装置を制御して動作させることである。
【０３２２】
好ましいのは、システムタイムに対して計時を行い、かつ、干渉過負荷インジケータの送信タイミングを記憶するタイマーをさらに含んでおり、上記システム干渉関連パラメータはシステムタイムであり、上記予め設定されたしきい値は干渉過負荷インジケータの送信タイミングであり、システムタイムが干渉過負荷インジケータの送信タイミングに達したとき、上記トリガユニットは、本発明の第１方案の干渉過負荷インジケータ生成装置を制御して動作させることである。
【０３２３】
本発明の第４方案によると、アップリンク周波数分割多重送信用のセル方式通信システムに用いられる干渉過負荷インジケータ生成制御方法であって、システム干渉関連パラメータを検出する検出ステップと、上記システム干渉関連パラメータの検出値と予め設定されたしきい値とを比較する比較ステップと、および上記比較ステップの比較結果に基づいて、本発明の第２方案の干渉過負荷インジケータ生成方法を実行させるトリガステップを含むことを特徴とする干渉過負荷インジケータ生成制御方法を提供する。
【０３２４】
好ましいのは、上記システム干渉関連パラメータは、上記セル方式通信システムのシステム帯域幅における干渉のレベル、および、上記セル方式通信システムのシステムリソースの負荷率の少なくともいずれかであるか、または、上記システム干渉関連パラメータは、一部の上記システム帯域幅における干渉のレベル、および、一部の上記システムリソースの負荷率の少なくともいずれかであることである。
【０３２５】
好ましいのは、上記システム帯域幅における干渉のレベルは、上記システム帯域幅における干渉の出力密度、上記システム帯域幅における干渉雑音比、上記システム帯域幅における干渉の出力密度の平均値、および上記システム帯域幅における平均干渉雑音比の少なくとも１つを含むか、または、一部の上記システム帯域幅における干渉のレベルは、一部の上記システム帯域幅における干渉の出力密度、一部の上記システム帯域幅における干渉雑音比、一部の上記システム帯域幅における干渉の出力密度の平均値、および一部の上記システム帯域幅における平均干渉雑音比の少なくとも１つを含むことである。
【０３２６】
好ましいのは、上記システムリソースの負荷率は、データ伝送チャネルリソースの占有率、およびコントロールシグナリングチャネルリソースの占有率の少なくとも１つを含むか、または、一部の上記システムリソースの負荷率は、一部のデータ伝送チャネルリソースの占有率、および一部のコントロールシグナリングチャネルリソースの占有率の少なくとも１つを含むことである。
【０３２７】
好ましいのは、上記トリガステップにおいて、上記システム帯域幅における干渉のレベル、および、上記システムリソースの負荷率の少なくともいずれかが、予め設定されたしきい値より大きい場合、本発明の第２方案の干渉過負荷インジケータ生成方法に含まれる確定ステップを実行させるか、または、一部の上記システム帯域幅における干渉のレベル、および、一部の上記システムリソースの負荷率の少なくともいずれかが、予め設定されたしきい値より大きい場合、本発明の第２方案の干渉過負荷インジケータ生成方法に含まれる確定ステップを実行させることである。
【０３２８】
好ましいのは、上記システム干渉関連パラメータはシステムタイムであり、上記予め設定されたしきい値は干渉過負荷インジケータの送信タイミングであり、上記トリガステップにおいて、システムタイムが干渉過負荷インジケータの送信タイミングに達したとき、上記トリガステップは、本発明の第２方案の干渉過負荷インジケータ生成方法に含まれる確定ステップを実行させることである。
【０３２９】
本発明の第５方案によると、アップリンク周波数分割多重送信用のセル方式通信システムに用いられる基地局であって、干渉過負荷インジケータ生成装置を制御して動作させるか否かを判断する本発明の第３方案の干渉過負荷インジケータ生成制御装置と、上記干渉過負荷インジケータ生成制御装置からの制御によって、干渉過負荷インジケータを生成する本発明の第１方案の干渉過負荷インジケータ生成装置と、自局以外の基地局およびユーザ機器の少なくともいずれかと相互通信を行い、上記干渉過負荷インジケータ生成制御装置および上記干渉過負荷インジケータ生成装置に対して通信データの送信および受信の少なくともいずれかを行い、かつ、上記干渉過負荷インジケータ生成装置が生成した干渉過負荷インジケータを送信する受送信装置とを含むことを特徴とする基地局を提供する。
【０３３０】
本発明の第６方案によると、アップリンク周波数分割多重送信用のセル方式通信システムに用いられる干渉過負荷インジケート方法であって、本発明の第４方案の干渉過負荷インジケータ生成制御方法に基づいて、干渉過負荷インジケータ生成処理を起動させるか否かを確定し、干渉過負荷インジケータ生成処理を起動させることを確定した場合、本発明の第２方案の干渉過負荷インジケータ生成方法に基づいて、干渉過負荷インジケータを生成し、かつ、上記生成された干渉過負荷インジケータを送信することを含むことを特徴とする干渉過負荷インジケート方法を提供する。
【０３３１】
以上のように、好ましい実施例に基づいて本発明を説明した。本分野の当業者は、本発明の趣旨と範囲を逸しない限り、その他の各種の変更、取替えおよび追加を行うことができる。そのため、本発明の範囲は、上記の特定の実施例に限定されることではなく、添付された特許請求の範囲により限定すべきである。
【産業上の利用可能性】
【０３３２】
本発明は、通信技術分野における干渉過負荷インジケータの生成に関する装置、特に、周波数分割多重送信のセル方式通信システムに用いられる、干渉過負荷インジケータを生成する装置、および該装置の制御装置に好適に利用できる。
【符号の説明】
【０３３３】
２００、２０２、２０４  基地局
１０００  干渉過負荷インジケータ生成制御サブシステム（干渉過負荷インジケータ生成制御装置）
１０１０  検出ユニット
１０２０  比較ユニット
１０３０  トリガユニット
１０４０  タイマー
２０００  干渉過負荷インジケータ生成サブシステム（干渉過負荷インジケータ生成装置）
２０１０  干渉過負荷レベル確定ユニット（確定手段）
２０２０  コーディングユニット
２０３０  干渉過負荷インジケータ生成ユニット（生成手段）
２０１２  システム平均干渉レベル演算ユニット
２０２２  サブバンド区分ユニット
２０２５  記憶装置（記憶ユニット）
２０３２  インデックスナンバー生成ユニット
２０３４  ビットマップ生成ユニット
３０００  受送信サブシステム（受送信装置）
【図１】
2010141934.tif 000028
【図２Ａ】
2010141934.tif 000029
【図２Ｂ】
2010141934.tif 000030
【図２Ｃ】
2010141934.tif 000031
【図３】
2010141934.tif 000032
【図４】
2010141934.tif 000033
【図５】
2010141934.tif 000034
【図６】
2010141934.tif 000035
【図７】
2010141934.tif 000036
【図８】
2010141934.tif 000037
【図９】
2010141934.tif 000038
【図１０】
2010141934.tif 000039
【図１１】
2010141934.tif 000040
【図１２】
2010141934.tif 000041
【図１３】
2010141934.tif 000042
【図１４】
2010141934.tif 000043
【図１５】
2010141934.tif 000044
【図１６】
2010141934.tif 000045
【図１７】
2010141934.tif 000046
【図１８】
2010141934.tif 000047
【図１９】
2010141934.tif 000048
【図２０】
2010141934.tif 000049
【図２１】
2010141934.tif 000050
【図２２】
2010141934.tif 000051
【図２３】
2010141934.tif 000052
【図２４】
2010141934.tif 000053